(57)【特許請求の範囲】
【請求項１】
各電力需要家が電力事業者と契約した電力料金プランの情報と、電力使用量実績を少なくとも含む電力需要家情報とを格納した記憶装置と、
前記各電力需要家における電力料金プランおよび電力使用量実績に基づいて、電力料金プランが示す段階的電力量ごとの従量料金の適用電力量枠の余裕分を、互いに承認済みの電力需要家の所定グループに所属する各電力需要家について特定する処理と、
いずれかの所定電力需要家について特定した余裕分を、前記グループ内において余裕分が特定出来なかった他電力需要家における該当段階の追加の適用電力量枠として記憶装置に記憶する処理と、
前記他電力需要家に関して、前記他電力需要家の該当電力料金プランおよび電力使用量実績に基づく段階別電力料金の合計を、前記適用電力量枠の追加前後で計算し、前記計算した各合計間の差額の所定割合分を示すデータを、前記所定電力需要家へのインセンティブデータとして所定装置に出力する処理を実行する演算装置と、
を備えることを特徴とする料金プランシェアシステム。
【請求項２】
前記演算装置は、
前記余裕分を、互いに承認済みの電力需要家の所定グループに所属する各電力需要家について特定する処理に先立ち、
前記各電力需要家における電力料金プランおよび電力使用量実績に基づいて、電力料金プランが示す段階的電力量ごとの従量料金の適用電力量枠の余裕分を、各電力需要家について特定し、前記特定した余裕分を、余裕分が特定出来なかった他電力需要家における該当段階の追加の適用電力量枠とした場合の、前記差額の算定を実行し、前記算定した差額が所定値以上である場合、前記所定電力需要家および前記他電力需要家を前記所定グループの候補者として、該当電力需要家の所定装置に通知し、各電力需要家の所定装置から承認回答が得られた場合、前記所定電力需要家および前記他電力需要家の前記電力需要家情報において前記所定グループの所属情報を追加する処理を更に実行するものである、
ことを特徴とする請求項１に記載の料金プランシェアシステム。
【請求項３】
各電力需要家の所定装置とネットワークを介して通信する通信装置を更に備え、
前記演算装置は、
前記余裕分を、互いに承認済みの電力需要家の所定グループに所属する各電力需要家について特定する処理に先立ち、
前記電力需要家の所定装置から、電力需要家の所定グループを生成する要求を受け付けて、当該要求の起源となった該当電力需要家を含む各電力需要家における電力料金プランおよび電力使用量実績に基づいて、電力料金プランが示す段階的電力量ごとの従量料金の適用電力量枠の余裕分を、前記各電力需要家について特定し、
前記該当電力需要家について特定した余裕分を、余裕分が特定出来なかった前記該当電力需要家以外の電力需要家における該当段階の追加の適用電力量枠とした場合の、前記差額の算定を実行し、または、前記該当電力需要家以外の電力需要家について特定した余裕分を、余裕分が特定出来なかった前記該当電力需要家における該当段階の追加の適用電力量枠とした場合の、前記差額の算定を実行し、
前記算定したいずれかの差額が所定値以上である場合、前記所定電力需要家としての前記該当電力需要家以外の電力需要家、または前記他電力需要家としての前記該当電力需要家以外の電力需要家、を前記所定グループの候補者として、前記該当電力需要家の所定装置に返信し、
前記該当電力需要家の所定装置から承認回答が得られた、前記該当電力需要家以外の電力需要家の所定装置に対し、前記所定グループの候補者となった旨を通知し、該当所定装置から承認回答が得られた場合、前記該当電力需要家および前記該当電力需要家以外の電力需要家の前記電力需要家情報において前記所定グループの所属情報を追加する処理を更に実行するものである、
ことを特徴とする請求項１に記載の料金プランシェアシステム。
【請求項４】
各電力需要家のスマートメータとネットワークを介して通信する通信装置を更に備え、
前記演算装置は、
各電力需要家の前記スマートメータから得られる所定時間毎の電力使用量データを電力使用量実績として記憶装置に蓄積する処理を更に実行し、
前記余裕分を、互いに承認済みの電力需要家の所定グループに所属する各電力需要家について特定する処理に際し、各電力需要家における所定期間分の電力使用量実績と、前記通信装置を介して所定装置から得られる気象予測データとに基づき、所定アルゴリズムで各電力需要家における未来の所定期間の電力使用量を推定し、当該推定した電力使用量と前記各電力需要家における電力料金プランに基づいて、電力料金プランが示す段階的電力量ごとの従量料金の適用電力量枠の余裕分を、互いに承認済みの電力需要家の所定グループに所属する各電力需要家について特定するものである、
ことを特徴とする請求項１〜３のいずれかに記載の料金プランシェアシステム。
【請求項５】
前記演算装置は、
前記各電力需要家の前記スマートメータから得られる所定時間毎の電力使用量データを電力使用量実績として記憶装置に蓄積する処理に際し、該当電力需要家に設置されている太陽光発電装置での売電量の実績も前記スマートメータから取得して記憶装置に蓄積し、
前記余裕分を、互いに承認済みの電力需要家の所定グループに所属する各電力需要家について特定する処理に際し、各電力需要家における所定期間分の前記電力使用量データおよび前記売電量と、前記通信装置を介して所定装置から得られる気象予測データとに基づき、所定アルゴリズムで各電力需要家における未来の所定期間の電力使用量および売電量を推定し、当該推定した電力使用量と売電量との差分と前記各電力需要家における電力料金プランに基づいて、電力料金プランが示す段階的電力量ごと従量料金の適用電力量枠の余裕分を、互いに承認済みの電力需要家の所定グループに所属する各電力需要家について特定するものである、
ことを特徴とする請求項４に記載の料金プランシェアシステム。
【請求項６】
前記演算装置は、
前記余裕分を前記各電力需要家について特定する処理に際し、前記各電力需要家における電力料金プランおよび電力使用量実績に基づいて、電力料金プランが示す時間帯別の段階的電力量ごとの従量料金の適用電力量枠の余裕分を、互いに承認済みの電力需要家の所定グループに所属する各電力需要家について特定し、
前記追加の適用電力量枠を記憶装置に記憶する処理に際し、いずれかの所定電力需要家について特定した余裕分を、前記グループ内において余裕分が特定出来なかった他電力需要家における該当時間帯の該当段階の追加の適用電力量枠として記憶装置に記憶する処理と、
前記所定割合分を示すデータを前記インセンティブデータとして出力する処理に際し、前記他電力需要家に関して、前記他電力需要家の該当電力料金プランおよび電力使用量実績に基づく時間帯別の前記段階ごとの電力料金の合計を、前記適用電力量枠の追加前後で計算し、前記計算した各合計間の差額の所定割合分を示すデータを、前記所定電力需要家へのインセンティブデータとして所定装置に出力する処理を実行するものである、
ことを特徴とする請求項１に記載の料金プランシェアシステム。
【請求項７】
前記演算装置は、
前記余裕分を、互いに承認済みの電力需要家の所定グループに所属する各電力需要家について特定する処理に先立ち、
前記各電力需要家における電力料金プランおよび電力使用量実績に基づいて、電力料金プランが示す時間帯別の段階的電力量ごとの従量料金の適用電力量枠の余裕分を、各電力需要家について特定し、前記特定した余裕分を、余裕分が特定出来なかった他電力需要家における該当時間帯の該当段階の追加の適用電力量枠とした場合の、前記差額の算定を実行し、前記算定した差額が所定値以上である場合、前記所定電力需要家および前記他電力需要家を前記所定グループの候補者として、該当電力需要家の所定装置に通知し、各電力需要家の所定装置から承認回答が得られた場合、前記所定電力需要家および前記他電力需要家の前記電力需要家情報において前記所定グループの所属情報を追加する処理を更に実行するものである、
ことを特徴とする請求項６に記載の料金プランシェアシステム。
【請求項８】
各電力需要家の所定装置とネットワークを介して通信する通信装置を更に備え、
前記演算装置は、
前記余裕分を、互いに承認済みの電力需要家の所定グループに所属する各電力需要家について特定する処理に先立ち、
前記電力需要家の所定装置から、電力需要家の所定グループを生成する要求を受け付けて、当該要求の起源となった該当電力需要家を含む各電力需要家における電力料金プランおよび電力使用量実績に基づいて、電力料金プランが示す時間帯別の段階的電力量ごとの従量料金の適用電力量枠の余裕分を、前記各電力需要家について特定し、
前記該当電力需要家について特定した余裕分を、余裕分が特定出来なかった前記該当電力需要家以外の電力需要家における該当時間帯の該当段階の追加の適用電力量枠とした場合の、前記差額の算定を実行し、または、前記該当電力需要家以外の電力需要家について特定した余裕分を、余裕分が特定出来なかった前記該当電力需要家における該当時間帯の該当段階の追加の適用電力量枠とした場合の、前記差額の算定を実行し、
前記算定したいずれかの差額が所定値以上である場合、前記所定電力需要家としての前記該当電力需要家以外の電力需要家、または前記他電力需要家としての前記該当電力需要家以外の電力需要家、を前記所定グループの候補者として、前記該当電力需要家の所定装置に返信し、
前記該当電力需要家の所定装置から承認回答が得られた、前記該当電力需要家以外の電力需要家の所定装置に対し、前記所定グループの候補者となった旨を通知し、該当所定装置から承認回答が得られた場合、前記該当電力需要家および前記該当電力需要家以外の電力需要家の前記電力需要家情報において前記所定グループの所属情報を追加する処理を更に実行するものである、
ことを特徴とする請求項６に記載の料金プランシェアシステム。
【請求項９】
前記演算装置は、
前記特定した余裕分を、前記グループ内において余裕分が特定出来なかった他電力需要家における該当時間帯の該当段階の追加の適用電力量枠として記憶装置に記憶する処理に際し、前記他電力需要家において余裕分が特定出来なかった時間帯のうち最も高額な従量料金の時間帯に対応する前記余裕分を特定し、当該特定した余裕分を、前記他電力需要家における該当時間帯の該当段階の追加の適用電力量枠として記憶装置に記憶するものである、
ことを特徴とする請求項６〜８のいずれかに記載の料金プランシェアシステム。
【請求項１０】
前記演算装置は、
前記特定した余裕分を、前記グループ内において余裕分が特定出来なかった他電力需要家における該当時間帯の該当段階の追加の適用電力量枠として記憶装置に記憶する処理に際し、前記他電力需要家のうち最も電力使用量が多い順に、該当他電力需要家において余裕分が特定出来なかった時間帯のうち最も高額な従量料金の時間帯に対応する前記余裕分を特定し、当該特定した余裕分を、前記他電力需要家における該当時間帯の該当段階の追加の適用電力量枠として記憶装置に記憶する処理を順次繰り返すものである、
ことを特徴とする請求項９に記載の料金プランシェアシステム。
【請求項１１】
各電力需要家のスマートメータとネットワークを介して通信する通信装置を更に備え、
前記演算装置は、
各電力需要家の前記スマートメータから得られる所定時間毎の電力使用量データを電力使用量実績として記憶装置に蓄積する処理を更に実行し、
前記余裕分を、互いに承認済みの電力需要家の所定グループに所属する各電力需要家について特定する処理に際し、各電力需要家における所定期間分の電力使用量実績と、前記通信装置を介して所定装置から得られる気象予測データとに基づき、所定アルゴリズムで各電力需要家における未来の所定期間の電力使用量を推定し、当該推定した電力使用量と前記各電力需要家における電力料金プランに基づいて、電力料金プランが示す時間帯別の段階的電力量ごとの従量料金の適用電力量枠の余裕分を、互いに承認済みの電力需要家の所定グループに所属する各電力需要家について特定するものである、
ことを特徴とする請求項６〜１０のいずれかに記載の料金プランシェアシステム。
【請求項１２】
前記演算装置は、
前記各電力需要家の前記スマートメータから得られる所定時間毎の電力使用量データを電力使用量実績として記憶装置に蓄積する処理に際し、該当電力需要家に設置されている太陽光発電装置での売電量の実績も前記スマートメータから取得して記憶装置に蓄積し、
前記余裕分を、互いに承認済みの電力需要家の所定グループに所属する各電力需要家について特定する処理に際し、各電力需要家における所定期間分の前記電力使用量データおよび前記売電量と、前記通信装置を介して所定装置から得られる気象予測データとに基づき、所定アルゴリズムで各電力需要家における未来の所定期間の電力使用量および売電量を推定し、当該推定した電力使用量と売電量との差分と前記各電力需要家における電力料金プランに基づいて、電力料金プランが示す時間帯別の段階的電力量ごとの従量料金の適用電力量枠の余裕分を、互いに承認済みの電力需要家の所定グループに所属する各電力需要家について特定するものである、
ことを特徴とする請求項１１に記載の料金プランシェアシステム。
【請求項１３】
前記演算装置は、
前記インセンティブデータを出力する処理に際し、前記差額の所定割合分で前記所定電力需要家の電力料金を減算し、前記減算後の電力料金を前記インセンティブデータとして前記所定電力需要家または電力事業者の装置に出力するものである、
ことを特徴とする請求項１〜１２のいずれかに記載の料金プランシェアシステム。
【請求項１４】
各電力需要家が電力事業者と契約した電力料金プランの情報と、電力使用量実績を少なくとも含む電力需要家情報とを格納した記憶装置を備えたコンピュータシステムが、
前記各電力需要家における電力料金プランおよび電力使用量実績に基づいて、電力料金プランが示す段階的電力量ごとの従量料金の適用電力量枠の余裕分を、互いに承認済みの電力需要家の所定グループに所属する各電力需要家について特定する処理と、
いずれかの所定電力需要家について特定した余裕分を、前記グループ内において余裕分が特定出来なかった他電力需要家における該当段階の追加の適用電力量枠として記憶装置に記憶する処理と、
前記他電力需要家に関して、前記他電力需要家の該当電力料金プランおよび電力使用量実績に基づく段階別電力料金の合計を、前記適用電力量枠の追加前後で計算し、前記計算した各合計間の差額の所定割合分を示すデータを、前記所定電力需要家へのインセンティブデータとして所定装置に出力する処理を実行する、
ことを特徴とする料金プランシェア方法。
【発明の詳細な説明】
【技術分野】
【０００１】
本発明は、料金プランシェアシステムおよび料金プランシェア方法に関するものであり、具体的には、様々な需要家個々における電力消費の意向を無理なく踏まえた上で、各需要家にて直接的な経済効果を確実に獲得可能とする技術に関する。
【背景技術】
【０００２】
２０１６年からの電力小売市場の自由化を睨み、ＨＥＭＳ（Ｈｏｍｅ  Ｅｎｅｒｇｙ  Ｍａｎａｇｅｍｅｎｔ  Ｓｙｓｔｅｍ）によって得られる各需要家の電力使用量データを利活用した様々なサービスやビジネスモデルが提案され始めている。そうした技術の例として、以下の従来技術が提案されている。
【０００３】
すなわち、電力供給システムからの電力を利用する利用者ごとに、当該利用者が節約した電力を示す節約使用量の大きさに応じて当該利用者が獲得したポイントを管理する省電力管理システムであって、前記各利用者が属する電力供給地域における電力需要量を前記電力供給システムから取得する電力需要量取得部と、前記電力需要量と基準となる基準電力需要量とから、当該電力需要量の変動に応じて変化する仮想料金率を算出する仮想料金率算出部と、前記節約使用量に相当する節約料金を前記仮想料金率で調整してポイント換算することにより前記ポイントを算出するポイント算出部とを備える省電力管理システム（特許文献１参照）などが提案されている。
【０００４】
また、電力の的確な消費抑制を図ることを目的とした、複数の建物の各々での電力消費量の上限の目標値である推奨電力消費量を系統電力で許容される範囲で設定し、前記推奨電力消費量を前記複数の建物の各々に報知する消費監視センターと、前記複数の建物の各々に設けられ、前記消費監視センターから報知された情報を表示可能な表示手段を有する制御手段を含む消費監視システム（特許文献２参照）なども提案されている。
【先行技術文献】
【特許文献】
【０００５】
【特許文献１】特開２０１２−２２６５３８号公報
【特許文献２】特開２０１３−２２３３８１号公報
【発明の概要】
【発明が解決しようとする課題】
【０００６】
しかしながら従来技術においては、あくまで需要家に節電を推奨することで所定目的の達成を図ることが基本概念となっており、節電を達成した需要家のみが電力使用料の低減を図ることが可能であって、それ以外の需要家にとっては特段の経済効果を獲得出来ず、利点に乏しい技術であった。
【０００７】
一方、需要家には、上述のように相応の節電意識を持った需要家の他に、構成員や電気機器の数が多いため節電行動を行う余地の少ない需要家や、節電行動は行わないが電力使用量が他世帯より元々少ない需要家など様々なタイプが存在しており、従来技術の如く特定の需要家のみにしか利点が無いサービスを忌避して、契約先の電力事業者を変更する需要家が続発する事態も十分予想できる。
【０００８】
そこで本発明の目的は、様々な需要家個々における電力消費の意向を無理なく踏まえた上で、各需要家にて直接的な経済効果を確実に獲得可能とする技術を提供することにある。
【課題を解決するための手段】
【０００９】
上記課題を解決する本発明の料金プランシェアシステムは、各電力需要家が電力事業者と契約した電力料金プランの情報と、電力使用量実績を少なくとも含む電力需要家情報とを格納した記憶装置と、前記各電力需要家における電力料金プランおよび電力使用量実績に基づいて、電力料金プランが示す時間帯別従量料金の適用電力量枠の余裕分を、互いに承認済みの電力需要家の所定グループに所属する各電力需要家について特定する処理と、
【００１０】
いずれかの所定電力需要家について特定した余裕分を、前記グループ内において余裕分が特定出来なかった他電力需要家における該当時間帯の追加の適用電力量枠として記憶装置に記憶する処理と、前記他電力需要家に関して、前記他電力需要家の該当電力料金プランおよび電力使用量実績に基づく時間帯別電力料金の合計を、前記適用電力量枠の追加前後で計算し、前記計算した各合計間の差額の所定割合分を示すデータを、前記所定電力需要家へのインセンティブデータとして所定装置に出力する処理を実行する演算装置と、を備えることを特徴とする。
【００１１】
また、本発明の料金プランシェア方法は、各電力需要家が電力事業者と契約した電力料金プランの情報と、電力使用量実績を少なくとも含む電力需要家情報とを格納した記憶装置を備えたコンピュータシステムが、前記各電力需要家における電力料金プランおよび電力使用量実績に基づいて、電力料金プランが示す時間帯別従量料金の適用電力量枠の余裕分を、互いに承認済みの電力需要家の所定グループに所属する各電力需要家について特定する処理と、いずれかの所定電力需要家について特定した余裕分を、前記グループ内において余裕分が特定出来なかった他電力需要家における該当時間帯の追加の適用電力量枠として記憶装置に記憶する処理と、前記他電力需要家に関して、前記他電力需要家の該当電力料金プランおよび電力使用量実績に基づく時間帯別電力料金の合計を、前記適用電力量枠の追加前後で計算し、前記計算した各合計間の差額の所定割合分を示すデータを、前記所定電力需要家へのインセンティブデータとして所定装置に出力する処理を実行することを特徴とする。
【発明の効果】
【００１２】
本発明によれば、様々な需要家個々における電力消費の意向を無理なく踏まえた上で、各需要家にて直接的な経済効果を確実に獲得可能となる。
【図面の簡単な説明】
【００１３】
【図１】本実施形態の料金プランシェアシステムを含むネットワーク構成図である。
【図２】本実施形態の料金プランシェアシステムのハードウェア構成例を示す図である。
【図３】本実施形態における需要家端末の構成例を示す図である。
【図４】本実施形態における電力事業者サーバの構成例を示す図である。
【図５】本実施形態における気象データ提供サーバの構成例を示す図である。
【図６】本実施形態における料金プランデータベースの構成例を示す図である。
【図７】本実施形態における電力使用量実績データベースの構成例を示す図である。
【図８】本実施形態における気象予測データベースの構成例を示す図である。
【図９】本実施形態における需要家管理データベースの構成例を示す図である。
【図１０】本実施形態における料金プランシェア方法の処理手順例１を示すフロー図である。
【図１１】本実施形態における料金プランシェア方法の処理手順例２を示すフロー図である。
【図１２】本実施形態における料金プランシェア方法の処理手順例３を示すフロー図である。
【図１３】本実施形態における料金プランシェア方法の処理手順例４を示すフロー図である。
【図１４】本実施形態における料金プランシェア方法の処理手順例５を示すフロー図である。
【発明を実施するための形態】
【００１４】
−−−システム構成−−−
【００１５】
以下に本発明の実施形態について図面を用いて詳細に説明する。図１は本実施形態の料金プランシェアシステム１００を含むネットワーク構成例を示す図である。図１に示す料金プランシェアシステム１００は、様々な電力需要家個々における電力消費の意向を無理なく踏まえた上で、各電力需要家にて直接的な経済効果を確実に獲得可能とするためのコンピュータシステムである。本実施形態では、料金プランシェア対象の電力需要家として一般家庭の各世帯を想定する。また、以降は電力需要家を需要家と称する。
【００１６】
この場合の各世帯の需要家施設１０すなわち住居は、電力事業者が提供する系統電源１から分電盤１１にて給電を受け、この分電盤１１から配電する電力で各箇所の電気設備１５を稼動させる一般的な受電及び配電の構成を備えている。需要家施設１０内の電気設備１５で消費された電力の量すなわち使用電力量は、分電盤１１に備わる電力量計１２により計測されている。また、本実施形態における分電盤１１は通信機能を具備し、ネットワーク５０を介して本実施形態の料金プランシェアシステム１００を実現するサーバ装置と通信可能に結ばれており、電力量計１２により計測された使用電力量のデータを所定時間毎に料金プランシェアシステム１００に送信している。上述の電力量計１２、または電力量計１２を含む分電盤１１は、いわゆるスマートメータである。
【００１７】
また、こうした需要家施設１０には、それぞれ分電盤１１に給電を行う太陽光発電装置１３（他の再生可能エネルギーを利用した発電装置であってもよい。例：風力発電装置など）が備わっている。この場合の分電盤１１は、太陽光発電装置１３での発電量（分電盤１１に給電される）および系統電源１への売電量を計測しており、当該計測データを所定時間毎に料金プランシェアシステム１００に送信している。一方、料金プランシェアシステム１００は、いわゆるＨＥＭＳ（家庭向けエネルギー管理システム）の機能を備えており、太陽光発電装置１３での発電量を踏まえて、系統電源１からの買電量を最小限に抑えることができる。
【００１８】
なお、本実施形態の料金プランシェアシステム１００は、ネットワーク５０を介して、上述の分電盤１１の他、需要家端末２００、電力事業者サーバ３００、および気象データ提供サーバ４００と通信可能に結ばれている。このうち、需要家端末２００は、上述の需要家施設１０に所在する需要家、すなわち一般家庭の構成員が所持する情報端末であり、具体的には携帯電話機やタブレット端末、或いはノートＰＣ等を想定できる。この需要家端末２００は、料金プランシェアシステム１００と協働するアプリケーションとして料金プランシェア用のアプリ２１０を保持しており、このアプリ２１０を実行して必要な機能を実装することとなる。図３は本実施形態における需要家端末２００の構成例を示す図である。図３にて例示するように、需要家端末２００は、一般的なコンピュータ端末と同様のハードウェア構成を備えており、ハードディスクドライブなど適宜な不揮発性記憶素子で構成される記憶装置２０１、ＲＡＭなど揮発性記憶素子で構成されるメモリ２０３、記憶装置２０１に保持されるプログラム２０２をメモリ２０３に読み出すなどして実行し装置自体の統括制御を行なうとともに各種判定、演算及び制御処理を行なうＣＰＵ２０４（演算装置）、ユーザたる需要家からの入力を受け付けるキーボード等の入力装置２０５、処理結果を出力するディスプレイ等の出力装置２０６、ネットワーク５０と接続し料金プランシェアシステム１００や電力事業者サーバ３００、気象データ提供サーバ４００等の他装置との通信処理を担う通信装置２０７、を少なくとも備える。
【００１９】
また、電力事業者サーバ３００は、電力事業者が備えるサーバ装置であり、具体的には料金プランシェアシステム１００と協働して、各電力需要家の電力料金計算とその請求処理等を行う所定の業務アプリケーション３１０をプログラム３０２として保持しており、この業務アプリケーション３１０を実行して必要な機能を実装することとなる。図４は本実施形態における電力事業者サーバ３００の構成例を示す図である。図４にて例示するように、電力事業者サーバ３００は、一般的なサーバ装置と同様のハードウェア構成を備えており、ハードディスクドライブなど適宜な不揮発性記憶素子で構成される記憶装置３０１、ＲＡＭなど揮発性記憶素子で構成されるメモリ３０３、記憶装置３０１に保持されるプログラム３０２をメモリ３０３に読み出すなどして実行し装置自体の統括制御を行なうとともに各種判定、演算及び制御処理を行なうＣＰＵ３０４（演算装置）、ネットワーク５０と接続して料金プランシェアシステム１００や需要家端末２００等の他装置との通信処理を担う通信装置３０５、を少なくとも備える。なお、この電力事業者サーバ３００は、料金プランシェアシステム１００に提供するために、料金プランデータベース１２５のマスタ３２５、電力使用量実績データベース１２６のマスタ３２６、および需要家管理データベース１２８のマスタ３２８を記憶装置３０１に備え、適宜なトリガー（所定時期の到来や、料金プランシェアシステム１００を操作するユーザからの指示等）を受けて該当マスタを料金プランシェアシステム１００に対してネットワーク５０経由で提供可能であるとする。
【００２０】
また、気象データ提供サーバ４００は、少なくとも現時点から２４時間以内の１時間毎ないし３時間毎の天気、気温、湿度、風向といった天候に関する予測データを料金プランシェアシステム１００に提供するサーバ装置である。図５は本実施形態における気象データ提供サーバ４００の構成例を示す図である。図５にて例示するように、気象データ提供サーバ４００は、一般的なサーバ装置と同様のハードウェア構成を備えており、ハードディスクドライブなど適宜な不揮発性記憶素子で構成される記憶装置４０１、ＲＡＭなど揮発性記憶素子で構成されるメモリ４０３、記憶装置４０１に保持されるプログラム４０２をメモリ４０３に読み出すなどして実行し装置自体の統括制御を行なうとともに各種判定、演算及び制御処理を行なうＣＰＵ４０４（演算装置）、ネットワーク５０と接続し、料金プランシェアシステム１００、需要家端末２００、電力事業者サーバ３００等の他装置との通信処理を担う通信装置４０５、を少なくとも備える。なお、この気象データ提供サーバ４００は、料金プランシェアシステム１００に提供するために、気象予測データベース１２７のマスタ４２７を記憶装置４０１に備え、適宜なトリガー（所定時期の到来や、料金プランシェアシステム１００からの要求等）を受けて該当マスタを料金プランシェアシステム１００に対してネットワーク５０経由で提供可能であるとする。
【００２１】
なお、本実施形態の料金プランシェアシステム１００は、上述の分電盤１１、需要家端末２００、電力事業者サーバ３００、および気象データ提供サーバ４００を含んでいるとしてもよい。
【００２２】
本実施形態における料金プランシェアシステム１００のハードウェア構成は以下の如くとなる。図２は本実施形態における料金プランシェアシステム１００のハードウェア構成例を示す図である。料金プランシェアシステム１００は、ハードディスクドライブなど適宜な不揮発性記憶素子で構成される記憶装置１０１、ＲＡＭなど揮発性記憶素子で構成されるメモリ１０３、記憶装置１０１に保持されるプログラム１０２をメモリ１０３に読み出すなどして実行し装置自体の統括制御を行なうとともに各種判定、演算及び制御処理を行なうＣＰＵ１０４（演算装置）、ネットワーク５０と接続し需要家端末２００や電力事業者サーバ３００、気象データ提供サーバ４００等の他装置との通信処理を担う通信装置１０５、を少なくとも備える。なお、記憶装置１０１内には、本実施形態の料金プランシェアシステム１００として必要な機能を実装する為のプログラム１０２と、後述するデータベース１２５〜１２８が少なくとも記憶されている。
【００２３】
また、図３に示すように、本実施形態における需要家端末２００のハードウェア構成は、一般的な情報処理端末と同様であり、ハードディスクドライブなど適宜な不揮発性記憶素子で構成される記憶装置２０１、ＲＡＭなど揮発性記憶素子で構成されるメモリ２０３、記憶装置２０１に保持されるアプリ２１０をメモリ２０３に読み出すなどして実行し装置自体の統括制御を行なうとともに各種演算処理を行なうＣＰＵ２０４、需要家からのキー入力や音声入力を受け付ける入力装置２０５、処理データの表示を行うディスプレイ等の出力装置２０６、ネットワークと接続し料金プランシェアシステム１００との通信処理を担う通信装置２０７、を備える。なお、記憶装置２０１内には、本実施形態の需要家端末２００として必要な機能を実装する為のアプリ２１０が少なくとも記憶されている。
【００２４】
続いて、本実施形態の料金プランシェアシステム１００が備える各機能について説明する。上述したように、以下に説明する機能は、例えば料金プランシェアシステム１００が備えるプログラム１０２を実行することで実装される機能と言える。
【００２５】
本実施形態の料金プランシェアシステム１００は、記憶装置１０１が保持する料金プランデータベース１２５における各電力需要家の電力料金プラン、および電力使用量実績データベース１２６における電力使用量実績に基づいて、該当電力料金プランが示す時間帯別の段階的電力量ごとの従量料金の適用電力量枠の余裕分を、需要家管理データベース１２８において互いに承認済みとなっている電力需要家の所定グループに所属する各電力需要家について特定する機能を備えている。なお、より単純な従量料金の仕組みとして、時間帯での料金は一定で、段階的電力量ごとの従量料金となっている場合も想定出来るが、本実施形態では処理がより複雑な、「時間帯別の段階的電力量ごとの従量料金」を踏まえた処理について説明するものとする（以後、同様）。
【００２６】
また、料金プランシェアシステム１００は、上述の機能によっていずれかの所定電力需要家について特定した余裕分を、上述のグループ内において余裕分が特定出来なかった他電力需要家における該当時間帯の該当段階の追加の適用電力量枠として、記憶装置１０１に記憶する機能を備えている。
【００２７】
また、料金プランシェアシステム１００は、上述の他電力需要家に関して、当該他電力需要家の該当電力料金プラン（料金プランデータベース１２５で特定出来る）および電力使用量実績（電力使用量実績データベース１２６で特定出来る）に基づく時間帯別の段階ごとの電力料金の合計を、上述の適用電力量枠の追加前後で計算し、ここで計算した各合計間の差額の所定割合分（例：５０％）を示すデータを、上述の所定電力需要家へのインセンティブデータとして需要家端末２００ないし電力事業者サーバ３００などの所定装置に出力する機能を備えている。
【００２８】
また、上述の料金プランシェアシステム１００は、上述の余裕分を、互いに承認済みの電力需要家の所定グループに所属する各電力需要家について特定する処理に先立ち、各電力需要家における電力料金プランおよび電力使用量実績に基づいて、電力料金プランが示す時間帯別の段階的電力量ごとの従量料金の適用電力量枠の余裕分を、各電力需要家について特定し、ここで特定した余裕分を、余裕分が特定出来なかった他電力需要家における該当時間帯の該当段階の追加の適用電力量枠とした場合の、上述の時間帯別の段階的電力量ごとの電力料金の各合計間の差額を算定し、ここで算定した差額が所定値以上である場合、上述の所定電力需要家および他電力需要家を所定グループの候補者として、該当電力需要家の需要家端末２００に通知し、各電力需要家端末２００から承認回答が得られた場合、上述の需要家管理データベース１２８における所定電力需要家および他電力需要家の電力需要家情報において所定グループの所属情報を追加する機能を備えている。
【００２９】
この機能によれば、適用電力量枠余裕分のシェア、すなわち電力料金プランのシェアを行う電力需要家として適宜な電力料金低減効果を奏する者同士を、電力需要家の意思に応じつつグルーピングすることが可能となり、ひいては、様々な需要家個々における電力消費の意向を無理なく踏まえた上で、各需要家にて直接的な経済効果を確実に獲得可能となる。なお、料金プランシェアシステム１００は、上述のようなグルーピング以降、該当グループにおいて、適用電力量枠の追加前後での時間帯別の段階的電力量ごとの電力料金の合計間の差額を一定期間毎に検証し、この差額が所定の基準を下回った場合、すなわち十分な電力料金低減効果が得られていない場合、該当グループを解消して、上述の所定グループの候補者の通知と、所定電力需要家および前記他電力需要家の電力需要家情報における所定グループの所属情報追加の一連の処理を再度実行する機能を更に備えるとすれば好適である。
【００３０】
また、上述の料金プランシェアシステム１００は、上述の如く特定した余裕分を、上述のグループ内において余裕分が特定出来なかった他電力需要家における該当時間帯の該当段階の追加の適用電力量枠として記憶装置１０１に記憶する処理に際し、上述の他電力需要家において余裕分が特定出来なかった時間帯のうち最も高額な従量料金の時間帯に対応する余裕分を特定し、当該特定した余裕分を、該当他電力需要家における該当時間帯の該当段階の追加の適用電力量枠として記憶装置１０１に記憶する機能を更に備えている。
【００３１】
これによれば、適用電力量枠余裕分のシェア、すなわち電力料金プランのシェアを行う電力需要家間において効果的に電力料金低減効果を奏する時間帯を特定し、該当時間帯の該当段階に対して上述の余裕分を追加の適用電力量枠として適用することが可能となり、ひいては、各需要家にて直接的な経済効果を更に確実に獲得可能となる。
【００３２】
また、上述の料金プランシェアシステム１００は、上述の如く特定した余裕分を、上述のグループ内において余裕分が特定出来なかった他電力需要家における該当時間帯の該当段階の追加の適用電力量枠として記憶装置１０１に記憶する処理に際し、上述の他電力需要家のうち最も電力使用量が多い順に、該当他電力需要家において余裕分が特定出来なかった時間帯のうち最も高額な従量料金の時間帯に対応する余裕分を特定し、当該特定した余裕分を、該当他電力需要家における該当時間帯の該当段階の追加の適用電力量枠として記憶装置１０１に記憶する処理を順次繰り返す機能を更に備えている。
【００３３】
これによれば、適用電力量枠余裕分のシェア、すなわち電力料金プランのシェアを行う電力需要家として、より高い電力料金低減効果を奏する者同士に関し、効果的に電力料金低減効果を奏する時間帯を特定し、該当電力需要家間で該当時間帯の該当段階に対して上述の余裕分を追加の適用電力量枠として適用することが可能となり、ひいては、各需要家にて直接的な経済効果をより一層確実に獲得可能となる。
【００３４】
また、上述の料金プランシェアシステム１００は、各電力需要家のスマートメータたる電力量計１２から得られる所定時間毎の電力使用量データを電力使用量実績として記憶装置１０１の電力使用量実績データベース１２６に蓄積する機能を更に備えている。またこの場合、料金プランシェアシステム１００は、上述の余裕分を、互いに承認済みの電力需要家の所定グループに所属する各電力需要家について特定する処理に際し、各電力需要家における所定期間分の電力使用量実績と、通信装置１０５を介して気象データ提供サーバ４００から得られる気象予測データとに基づき、所定アルゴリズムで各電力需要家における未来の所定期間の電力使用量を推定し、当該推定した電力使用量と各電力需要家における電力料金プラン（料金プランデータベース１２５で特定）に基づいて、電力料金プランが示す時間帯別従量料金の適用電力量枠の余裕分を、互いに承認済みの電力需要家の所定グループに所属する各電力需要家について特定する機能を備えている。
【００３５】
なお、未来の所定期間の電力使用量を推定する上述の所定アルゴリズムは、例えば、上述の所定期間分の電力使用量実績と気象予測データの各情報を入力として電力使用量の推定値を出力する算定式を想定できる。この算定式は、上述の各情報の実際値と、過去に実際に特定された電力使用量との間の相関解析を行って得られている数式である。なお、上述のアルゴリズムは、プログラム１０２が予め備えているものとする。この点は、以降の各機能に関する説明においても同様である。
【００３６】
これによれば、電力使用量の実績と気象予測データとに基づく電力使用量により、上述の適用電力量枠の余裕分の特定を精度良く行うことが可能となり、ひいては、上述の時間帯別の段階的電力量ごとの電力料金の各合計間の差額の精度も向上し、各需要家にて直接的な経済効果をより一層確実に獲得可能となる。
【００３７】
なお、上述のスマートメータたる電力量計１２から得られる所定時間毎の電力使用量データに、該当電力需要家に設置されている太陽光発電装置１３での売電量の実績も含まれているとしてもよい。この場合、料金プランシェアシステム１００は、上述の余裕分を、互いに承認済みの電力需要家の所定グループに所属する各電力需要家について特定する処理に際し、各電力需要家における所定期間分の電力使用量データおよび上述の売電量と、通信装置１０５を介して気象データ提供サーバ４００から得られる気象予測データとに基づき、所定アルゴリズムで各電力需要家における未来の所定期間の電力使用量および売電量を推定し、当該推定した電力使用量と売電量との差分と各電力需要家における電力料金プランに基づいて、電力料金プランが示す時間帯別の段階的電力量ごとの従量料金の適用電力量枠の余裕分を、互いに承認済みの電力需要家の所定グループに所属する各電力需要家について特定する機能を更に備える。
【００３８】
上述した、各電力需要家における未来の所定期間の売電量を推定する所定アルゴリズムは、該当電力需要家の需要家施設１０に関し、気象データ提供サーバ４００から既に得ている所定期間未来の気象予測データ（天気、気温、湿度、風向、日照時間、太陽高度等）と、該当需要家施設１０に備わる太陽光発電装置１３における発電能力の仕様情報（記憶装置１０１にて格納されている）とを入力として予測売電量を出力する算定式を想定できる。この算定式は、上述の気象予測データおよび仕様情報の実際値と、過去に実際に特定された売電量との間の相関解析を行って得られている数式である。
【００３９】
また、上述の料金プランシェアシステム１００は、上述のインセンティブデータを出力する処理に際し、上述の差額の所定割合分で所定電力需要家の電力料金を減算し、この減算後の電力料金をインセンティブデータとして上述の所定電力需要家の需要家端末２００、または電力事業者サーバ３００に出力する機能を備えている。
【００４０】
これによれば、適用電力量枠余裕分のシェア、すなわち電力料金プランのシェアを行った結果として得られる電力料金低減効果を各電力需要家に明示し、或いは電力事業者における電力料金算定に際して加味することが可能となり、上述のシェアを行った各需要家にて経済効果をより一層認識しやすくなる。
−−−データ構造例−−−
【００４１】
次に、本実施形態の料金プランシェアシステム１００が用いるテーブルにおけるデータ構造例について説明する。図６は本実施形態における料金プランデータベース１２５のデータ構成例を示す図である。料金プランデータベース１２５は、各需要家が電力事業者と契約した料金プランの情報を格納したデータベースであり、具体的には、需要家ＩＤをキーとして、該当需要家が契約済みの電力料金プランＩＤ、該当電力料金プランの時間帯別従量料金とその適用電力量枠といった情報が対応付けされたレコードの集合体となっている。
【００４２】
図７は本実施形態における電力使用量実績データベース１２６のデータ構成例を示す図である。また、電力使用量実績データベース１２６は、各需要家における電力使用量の実績値を蓄積したデータベースであり、具体的には、需要家ＩＤをキーとして、該当需要家における電力使用量の実績値を対応付けされたレコードの集合体となっている。
【００４３】
図８は本実施形態における気象予測データベース１２７のデータ構成例を示す図である。また、気象予測データベース１２７は、各需要家の需要家施設１０の所在地域に関する少なくとも所定時間以内の気象予測データを格納したデータベースであり、料金プランシェアシステム１００が、ネットワーク５０経由で気象データ提供サーバ４００から得ているデータの格納先となっている。この気象予測データベース１２７は、具体的には、地域ＩＤをキーとして、予測対象期間、天気、気温、湿度、風向、日照時間、太陽高度といった情報を対応付けたレコードの集合体となっている。
【００４４】
図９は本実施形態における需要家管理データベース１２８のデータ構成例を示す図である。また、需要家管理データベース１２８は、各需要家に関する情報を格納したデータベースであり、具体的には、需要家ＩＤをキーとして、該当需要家の需要家施設１０の所在エリア、料金プランシェア対象として所属する需要家グループのＩＤを対応付けたレコードの集合体となっている。
−−−処理手順例１−−−
【００４５】
以下、本実施形態における料金プランシェア方法の実際手順について図に基づき説明する。以下で説明する料金プランシェア方法を実行する各機能は、料金プランシェアシステム１００がメモリ等に読み出して実行するプログラム１０２によって実現される。そして、このプログラム１０２は、以下に説明される各種の動作を行うためのコードから構成されている。
【００４６】
図１０は、本実施形態における料金プランシェア方法の処理手順例１を示すフロー図である。ここでまず、本実施形態の料金プランシェアシステム１００は、各需要家における電力料金プランを料金プランデータベース１２５で特定し、また、各需要家における電力使用量実績を電力使用量実績データベース１２６で特定し、当該特定した電力料金プランおよび電力使用量実績に基づいて、該当電力料金プランが示す段階的電力量ごとの従量料金の適用電力量枠の余裕分を、各需要家について特定する（ｓ１００）。
【００４７】
例えば、料金プランデータベース１２５において、需要家“Ａ”の料金プランが、「従量電灯Ｘ契約」で、電力使用量実績データベース１２６において、直近１ヶ月での電力使用量実績が「５００ｋｗｈ」であり、需要家“Ｂ”の料金プランが、同じく「従量電灯Ｘ契約」で、直近１ヶ月での電力使用量実績が「２００ｋｗｈ」であり、需要家“Ｃ”の料金プランが、同じく「従量電灯Ｘ契約」で、直近１ヶ月での電力使用量実績が「１００ｋｗｈ」であったとする。また、「従量電灯Ｘ契約」の料金体系は、第１段階（０〜１２０ｋｗｈ）：１５円、第２段階（１２０〜３００ｋｗｈ）：２５円、第３段階（３００ｋｗｈ超）：３０円、であったとする。
【００４８】
この場合、上述のステップｓ１００における料金プランシェアシステム１００は、各需要家“Ａ”〜“Ｃ”における電力料金プランとして、“従量電灯Ｘ契約”を料金プランデータベース１２５で特定し、また、各需要家“Ａ”、“Ｂ”、“Ｃ”における電力使用量実績“５００ｋｗｈ”、“２００ｋｗｈ”、“１００ｋｗｈ”、を電力使用量実績データベース１２６で特定する。
【００４９】
なお、料金プランシェアシステム１００は、各需要家のスマートメータ１２とネットワーク５０を介して一定時間ごとに通信し、各需要家における所定時間毎の電力使用量データを電力使用量実績として、記憶装置１０１の電力使用量実績データベース１２６に蓄積しているものとする。
【００５０】
また、料金プランシェアシステム１００は、こうして特定した電力料金プランおよび電力使用量実績に基づいて、該当電力料金プランが示す段階的電力量ごとの従量料金の適用電力量枠の余裕分として、需要家“Ｂ”について、例えば第２段階において、“３００ｋｗｈ−２００ｋｗｈ＝１００ｋｗｈ”、同様に、需要家“Ｃ”について、例えば第１段階において、“１２０ｋｗｈ−１００ｋｗｈ＝２０ｋｗｈ”、を適用電力量枠の余裕分と特定し、需要家“Ａ”については適用電力量枠の上限規定が無い第３段階まで電力使用量実績が到達しているため“余裕分無し”、などと特定することとなる。
【００５１】
次に、料金プランシェアシステム１００は、上述のステップｓ１００で特定した第２段階に対応する余裕分“１００ｋｗｈ”と、第１段階に対応する余裕分“２０ｋｗｈ”を、余裕無しと特定した需要家“Ａ”における第１段階および第２段階についての追加の適用電力量枠として記憶装置１０１に記憶する（ｓ１０１）。
【００５２】
次に、料金プランシェアシステム１００は、上述の他需要家たる需要家“Ａ”の電力料金プランおよび電力使用量実績に基づき、段階別電力料金の合計を算定する（ｓ１０２）。なお、この段階別電力料金の合計は、上述の適用電力量枠を追加する前と後の両方のケースについて計算するものとする。
【００５３】
この場合、料金プランシェアシステム１００は、例えば、需要家“Ａ”の電力料金プラン、すなわち料金体系が、第１段階（０〜１２０ｋｗｈ）：１５円、第２段階（１２０〜３００ｋｗｈ）：２５円、第３段階（３００ｋｗｈ超）：３０円、である「従量電灯Ｘ契約」と、直近１ヶ月での電力使用量実績が「５００ｋｗｈ」に基づいて、適用電力量枠の追加後の電力料金として、第１段階：１２０×１５＝“１８００円”、（追加分）第１段階：２０×１５＝“３００円”、第２段階：１８０×２５＝“４５００円”、（追加分）第２段階：１００×２５＝“２５００円”、第３段階：８０×３０＝“２４００円”、で時間帯別電力料金の合計を、“１１５００円”と算定できる。一方、適用電力量枠の追加前の電力料金として、第１段階：１２０×１５＝“１８００円”、第２段階：１８０×２５＝“４５００円”、第３段階：２００×３０＝“６０００円”、で時間帯別電力料金の合計を、“１２３００円”と算定できる。
【００５４】
料金プランシェアシステム１００は、上述のように適用電力量枠を追加する前と後の両方のケースについて計算した各合計の差額を、“１２３００−１１５００＝８００円”などと算定し（ｓ１０３）、ここで算定した差額が所定の基準値以上であるか判定する（ｓ１０４）。この基準値が例えば２００円であった場合、上述の具体例であれば、料金プランシェアシステム１００は、上述の差額が基準値以上であると判定し（ｓ１０４：ｙ）、上述の需要家“Ａ”、需要家“Ｂ”および需要家“Ｃ”を所定グループの候補者として、該当需要家の需要家端末２００に通知する（ｓ１０５）。他方、上述の差額が基準値以下であると判定した場合（ｓ１０４：ｎ）、料金プランシェアシステム１００は処理を一旦終了し、電力使用量実績が新たに蓄積されることを期待して所定時間待機し、上述のステップｓ１００に処理を戻す。
【００５５】
上述のステップｓ１０５の実行後、各需要家端末２００から承認回答が得られた場合（ｓ１０６：ｙ）、料金プランシェアシステム１００は、グループの識別情報としてグループＩＤ“ｇｒ００１”といった値を所定アルゴリズムで生成し、上述の需要家管理データベース１２８における需要家“Ａ”、需要家“Ｂ”、および需要家“Ｃ”の電力需要家情報において該当グループの識別情報“ｇｒ００１”を所属情報として追加し（ｓ１０７）、処理を終了する。他方、各需要家端末２００から承認回答が得られなかった場合（ｓ１０６：ｎ）、料金プランシェアシステム１００は、処理を一旦終了し、電力使用量実績が新たに蓄積されることを期待して所定時間待機し、上述のステップｓ１００に処理を戻す。こうして、料金プランシェアを行う需要家のグルーピングが実行される。
【００５６】
なお、料金プランシェアシステム１００は、上述で示した需要家のグルーピング以降、後述するステップｓ３０８、ｓ３０９の実行タイミングごとなど一定期間毎に、該当グループにおいて、適用電力量枠の追加前後での段階別電力料金の合計間の差額を検証し、この差額が所定の基準を下回った場合、すなわち十分な電力料金低減効果が得られていない場合、該当グループを解消、すなわち上述の需要家管理データベース１２８における所定需要家および他需要家の該当グループへの所属情報の削除を実行して、上述のステップｓ１００〜ｓ１０７の一連の処理を再度実行する。
【００５７】
また、料金プランシェアシステム１００は、各需要家のスマートメータ１２から得られる所定時間毎の電力使用量データとして、該当需要家に設置されている太陽光発電装置１３での売電量の実績（例：直近１ヶ月における各日の売電量）も取得しているとしてもよい。この場合、料金プランシェアシステム１００は、上述の余裕分を、互いに承認済みの需要家のグループに所属する各需要家について特定する処理に際し、各需要家における所定期間分の電力使用量データおよび売電量と、気象データ提供サーバ４００から得る気象予測データとに基づき、所定アルゴリズムで各需要家における未来の所定期間の電力使用量および売電量を推定し、当該推定した電力使用量（例：４５０ｋｗｈ）と売電量（例：５０ｋｗｈ）との差分（例：４００ｋｗｈ）と各需要家における電力料金プランに基づいて、電力料金プランが示す段階的電力量ごと従量料金の適用電力量枠の余裕分を、互いに承認済みの需要家のグループに所属する各需要家について特定することとなる。
【００５８】
上述した、各需要家における未来の所定期間の売電量を推定する所定アルゴリズムは、該当需要家の需要家施設１０に関し、気象データ提供サーバ４００から既に得ている所定期間未来の気象予測データ（天気、気温、湿度、風向、日照時間、太陽高度等）と、該当需要家施設１０に備わる太陽光発電装置１３における発電能力の仕様情報（記憶装置１０１にて格納されている）とを入力として予測売電量を出力する算定式を想定できる。この算定式は、上述の気象予測データおよび仕様情報の実際値と、過去に実際に特定された売電量との間の相関解析を行って得られている数式である。
−−−処理手順例２−−−
【００５９】
続いて、需要家が自発的に需要家同士のグルーピングを志向する場合に対応する処理について説明する。図１１は、本実施形態における料金プランシェア方法の処理手順例２を示すフロー図である。なお、処理手順例１と同様に、料金プランシェアシステム１００は、各需要家のスマートメータ１２とネットワーク５０を介して一定時間ごとに通信し、各需要家における所定時間毎の電力使用量データを電力使用量実績として、記憶装置１０１の電力使用量実績データベース１２６に蓄積しているものとする。
【００６０】
ここでまず、本実施形態の料金プランシェアシステム１００は、或る需要家端末２００から需要家グループの生成要求を受信したことに応じ、当該要求の起源となった該当需要家（例えば、需要家“Ｂ”とする）を含む各電力需要家における電力料金プランを料金プランデータベース１２５で特定し、また、上述の各需要家における電力使用量実績を電力使用量実績データベース１２６で特定し、当該特定した電力料金プランおよび電力使用量実績に基づいて、該当電力料金プランが示す段階的電力量ごとの従量料金の適用電力量枠の余裕分を、各需要家について特定する（ｓ１００１）。このステップｓ１００１の具体的な内容については上述のステップｓ１００と同様である。
【００６１】
次に、料金プランシェアシステム１００は、上述のステップｓ１００１で、上述の該当需要家“Ｂ”について特定した、該当段階（例えば、第２段階とする）に対応する余裕分（例えば、“１００ｋｗｈ”とする）を、余裕分が特定出来なかった上述の該当需要家以外の電力需要家（例えば、需要家“Ａ”とする）における、上述の第２段階についての追加の適用電力量枠とした場合（第１ケース）の、段階別電力料金の合計を上述のステップｓ１０２と同様に算定する（ｓ１００２）。なお、この段階別電力料金の合計は、上述の適用電力量枠を追加する場合の追加の前と後の両方のケースについて計算するものとする。
【００６２】
なお、このステップｓ１００２において、料金プランシェアシステム１００は、上述のステップｓ１００１で、上述の該当需要家以外の需要家（例えば、需要家“Ａ”）について特定した、該当段階（例えば、第２段階とする）に対応する余裕分（例えば、“１００ｋｗｈ”とする）を、余裕分が特定出来なかった上述の需要家“Ｂ”における、上述の第２段階についての追加の適用電力量枠とした場合（第２ケース）の、段階別電力料金の合計を上述のステップｓ１０２と同様に算定するものとできる。この場合も、上述の段階別電力料金の合計は、上述の適用電力量枠を追加する場合の追加の前と後の両方のケースについて計算するものとする。
【００６３】
続いて料金プランシェアシステム１００は、上述のように適用電力量枠を追加する前と後の両方のケースについて計算した各合計の差額を算定し（ｓ１００３）、ここで算定した、上述の第１ケースまたは第２ケースのいずれかに関する差額が所定の基準値以上であるか判定する（ｓ１００４）。
【００６４】
上述の差額が基準値以上であった場合（ｓ１００４：ｙ）、料金プランシェアシステム１００は、上述の需要家“Ａ”を、需要家“Ｂ”を起点とした所定グループの候補者として認識し、上述の需要家“Ｂ”の需要家端末２００に通知する（ｓ１００５）。他方、上述の差額が基準値以下であると判定した場合（ｓ１００４：ｎ）、料金プランシェアシステム１００は処理を一旦終了し、電力使用量実績が新たに蓄積されることを期待して所定時間待機し、上述のステップｓ１００１に処理を戻す。
【００６５】
上述のステップｓ１００５の実行後、需要家“Ｂ”の需要家端末２００から承認回答が得られた場合（ｓ１００６：ｙ）、料金プランシェアシステム１００は、需要家“Ｂ”による承認回答（グループへの加入承認と言える）が得られた需要家“Ａ”の需要家端末２００に対し、上述の所定グループの候補者となった旨を通知する（ｓ１００７）。この通知の実行後、需要家“Ａ”の需要家端末２００から承認回答（グループへの勧誘に対する許諾回答と言える）が得られた場合（ｓ１００８：ｙ）、料金プランシェアシステム１００は、グループの識別情報としてグループＩＤを所定アルゴリズムで生成し、上述の需要家管理データベース１２８における需要家“Ａ”、需要家“Ｂ”の電力需要家情報において該当グループの識別情報を所属情報として追加し（ｓ１００９）、処理を終了する。
【００６６】
他方、需要家“Ａ”の需要家端末２００から承認回答が得られなかった場合（ｓ１００８：ｎ）、料金プランシェアシステム１００は、処理を一旦終了し、電力使用量実績が新たに蓄積されることを期待して所定時間待機し、上述のステップｓ１００１に処理を戻す。こうして、需要家の自発的意思に応じて、料金プランシェアを行う需要家のグルーピングが実行される。
【００６７】
なお、料金プランシェアシステム１００は、上述で示した需要家のグルーピング以降、後述するステップｓ３０８、ｓ３０９の実行タイミングごとなど一定期間毎に、該当グループにおいて、適用電力量枠の追加前後での段階別電力料金の合計間の差額を検証し、この差額が所定の基準を下回った場合、すなわち十分な電力料金低減効果が得られていない場合、該当グループを解消、すなわち上述の需要家管理データベース１２８における所定需要家および他需要家の該当グループへの所属情報の削除を実行して、上述のステップｓ１００１〜ｓ１００９の一連の処理を再度実行する。
−−−処理手順例３−−−
【００６８】
続いて、料金プランにおいて時間帯別の概念が含まれている場合に対応する処理について説明する。図１２は、本実施形態における料金プランシェア方法の処理手順例３を示すフロー図である。なお、処理手順例１と同様に、料金プランシェアシステム１００は、各需要家のスマートメータ１２とネットワーク５０を介して一定時間ごとに通信し、各需要家における所定時間毎の電力使用量データを電力使用量実績として、記憶装置１０１の電力使用量実績データベース１２６に蓄積しているものとする。
【００６９】
ここでまず、本実施形態の料金プランシェアシステム１００は、各需要家における電力料金プランを料金プランデータベース１２５で特定し、また、各需要家における電力使用量実績を電力使用量実績データベース１２６で特定し、当該特定した電力料金プランおよび電力使用量実績に基づいて、該当電力料金プランが示す時間帯別従量料金の適用電力量枠の余裕分を、各需要家について特定する（ｓ２００）。
【００７０】
例えば、料金プランデータベース１２５において、需要家“Ａ”の料金プランが、「従量電灯Ｘ契約」で、電力使用量実績データベース１２６において、直近１ヶ月での電力使用量実績が「５００ｋｗｈ」であり、需要家“Ｂ”の料金プランが、同じく「従量電灯Ｘ契約」で、直近１ヶ月での電力使用量実績が「２００ｋｗｈ」であり、需要家“Ｃ”の料金プランが、同じく「従量電灯Ｘ契約」で、直近１ヶ月での電力使用量実績が「１００ｋｗｈ」であり、需要家“Ｄ”の料金プランが、「従量電灯Ｘ契約」で、電力使用量実績データベース１２６において、直近１ヶ月での電力使用量実績が「４００ｋｗｈ」であったとする。また、「従量電灯Ｘ契約」の料金体系は、第１段階（０〜１２０ｋｗｈ）：１５円（通常時間帯）、１１円（深夜帯）、第２段階（１２０〜３００ｋｗｈ）：２５円（通常時間帯）、２１円（深夜帯）、第３段階（３００ｋｗｈ超）：３０円（通常時間帯）、２６円（深夜帯）、であったとする。勿論、料金体系における時間帯の別電力料金の区分は、上述の例のみならず、２時間ごとなどより細分化された時間帯別の電力料金となっているとしてもよい。上述の例は説明の簡明化のためのあくまでも一例である。
【００７１】
この場合、上述のステップｓ１００における料金プランシェアシステム１００は、各需要家“Ａ”〜“Ｄ”における電力料金プランとして、“従量電灯Ｘ契約”を料金プランデータベース１２５で特定し、また、各需要家“Ａ”、“Ｂ”、“Ｃ”、“Ｄ”における電力使用量実績“５００ｋｗｈ”、“２００ｋｗｈ”、“１００ｋｗｈ”、“４００ｋｗｈ”を電力使用量実績データベース１２６で特定する。
【００７２】
また、料金プランシェアシステム１００は、こうして特定した電力料金プランおよび電力使用量実績に基づいて、該当電力料金プランが示す時間帯別従量料金の適用電力量枠の余裕分として、需要家“Ｂ”について、例えば“午前７時〜午前９時”の通常時間帯における第２段階において、“３００ｋｗｈ−２００ｋｗｈ＝１００ｋｗｈ”、同様に、需要家“Ｃ”について、例えば“午前１時〜午前２時”の深夜帯における第１段階において、“１２０ｋｗｈ−１００ｋｗｈ＝２０ｋｗｈ”、を適用電力量枠の余裕分と特定し、需要家“Ａ”、“Ｄ”については適用電力量枠の上限規定が無い第３段階まで電力使用量実績が到達しているため“余裕分無し”、などと特定することとなる。
【００７３】
次に、料金プランシェアシステム１００は、上述のステップｓ２００で余裕分が特定出来なかった他需要家のうち最も電力使用量が多い需要家を特定し、ここで特定した他需要家において余裕分が特定出来なかった時間帯のうち最も高額な従量料金の時間帯を該当電力料金プランに基づき更に特定する（ｓ２０１）。
【００７４】
上述の具体例の場合、余裕分が特定出来なかった他需要家“Ａ”、“Ｄ”のうち、電力使用量実績が“５００ｋｗｈ”である需要家“Ａ”を最も電力使用量が多い需要家と特定できる。また、ここで特定した他需要家“Ａ”において余裕分が特定出来なかった時間帯は全ての時間帯であるが、上述の余裕分があった需要家“Ｂ”、“Ｃ”との関係においては、“午前７時〜午前９時”の通常時間帯と、“午前１時〜午前２時”の深夜帯のうち高額な従量料金の時間帯を、料金プランデータベース１２５に基づいて、“午前７時〜午前９時”の通常時間帯と特定したとする。
【００７５】
そこで料金プランシェアシステム１００は、上述のステップｓ２０１で特定した該当時間帯“午前７時〜午前９時”すなわち通常時間帯に対応する余裕分を、上述のステップｓ１００で特定した、需要家“Ｂ”の余裕分“１００ｋｗｈ”（午前７時〜午前９時における第２段階の余裕分）と特定し、ここで特定した余裕分を、他需要家たる需要家“Ａ”における該当時間帯“午前７時〜午前９時”すなわち通常時間帯の第２段階についての追加の適用電力量枠として記憶装置１０１に記憶する（ｓ２０２）。
【００７６】
次に、料金プランシェアシステム１００は、上述の他需要家たる需要家“Ａ”の電力料金プランおよび電力使用量実績に基づき、時間帯別電力料金の合計を算定する（ｓ２０３）。なお、この時間帯別電力料金の合計は、上述の適用電力量枠を追加する前と後の両方のケースについて計算するものとする。
【００７７】
この場合、料金プランシェアシステム１００は、例えば、需要家“Ａ”の電力料金プラン、すなわち料金体系が、第１段階（０〜１２０ｋｗｈ）：１５円（通常時間帯）、１１円（深夜帯）、第２段階（１２０〜３００ｋｗｈ）：２５円（通常時間帯）、２１円（深夜帯）、第３段階（３００ｋｗｈ超）：３０円（通常時間帯）、２６円（深夜帯）、である「従量電灯Ｘ契約」と、直近１ヶ月での電力使用量実績が「５００ｋｗｈ」（例えば、通常時間帯と深夜帯とで４：１の使用割合であった）に基づいて、適用電力量枠の追加後の電力料金として、第１段階：９６×１５＋２４×１１＝“１７０４円”、第２段階：１４４×２５＋３６×２１＝“４３５６円”、（追加分）第２段階：８０×２５＋２０×２１＝“２４２０円”、第３段階：８０×３０＋２０×２６＝“２９２０円”、で時間帯別電力料金の合計を、“１１４００円”と算定できる。一方、適用電力量枠の追加前の電力料金として、第１段階：９６×１５＋２４×１１＝“１７０４円”、第２段階：１４４×２５＋３６×２１＝“４３５６円”、第３段階：１６０×３０＋４０×２６＝“５８４０円”、で時間帯別電力料金の合計を、“１１９００円”と算定できる。
【００７８】
料金プランシェアシステム１００は、上述のように適用電力量枠を追加する前と後の両方のケースについて計算した各合計の差額を、“１１９００−１１４００＝５００円”などと算定し（ｓ２０４）、ここで算定した差額が所定の基準値以上であるか判定する（ｓ２０５）。この基準値が例えば２００円であった場合、上述の具体例であれば、料金プランシェアシステム１００は、上述の差額が基準値以上であると判定し（ｓ２０５：ｙ）、上述の需要家“Ａ”および需要家“Ｂ”を所定グループの候補者として、該当需要家の需要家端末２００に通知する（ｓ２０６）。他方、上述の差額が基準値以下であると判定した場合（ｓ２０５：ｎ）、料金プランシェアシステム１００は処理を一旦終了し、電力使用量実績が新たに蓄積されることを期待して所定時間待機し、上述のステップｓ２００に処理を戻す。
【００７９】
上述のステップｓ２０６の実行後、各需要家端末２００から承認回答が得られた場合（ｓ２０７：ｙ）、料金プランシェアシステム１００は、グループの識別情報としてグループＩＤ“ｇｒ００１”といった値を所定アルゴリズムで生成し、上述の需要家管理データベース１２８における需要家“Ａ”および需要家“Ｂ”の電力需要家情報において該当グループの識別情報“ｇｒ００１”を所属情報として追加する（ｓ２０８）。他方、各需要家端末２００から承認回答が得られなかった場合（ｓ２０７：ｎ）、料金プランシェアシステム１００は、処理を一旦終了し、電力使用量実績が新たに蓄積されることを期待して所定時間待機し、上述のステップｓ２００に処理を戻す。
【００８０】
以降、料金プランシェアシステム１００は、上述の他需要家に関するステップｓ２０１〜ｓ２０８の処理を、他需要家における電力使用量の多い順に順次繰り返し（ｓ２０９：ｎ〜ｓ２０１）、他需要家に適用する余裕分が無くなった時点（ｓ２０９：ｙ）で、処理を終了する。こうして、料金プランシェアを行う需要家のグルーピングが実行される。
【００８１】
なお、料金プランシェアシステム１００は、上述で示した需要家のグルーピング以降、後述するステップｓｓ３０８、ｓ３０９の実行タイミングごとなど一定期間毎に、該当グループにおいて、適用電力量枠の追加前後での時間帯別電力料金の合計間の差額を検証し、この差額が所定の基準を下回った場合、すなわち十分な電力料金低減効果が得られていない場合、該当グループを解消、すなわち上述の需要家管理データベース１２８における所定需要家および他需要家の該当グループへの所属情報の削除を実行して、上述のステップｓ２００〜ｓ２０９の一連の処理を再度実行する。
−−−処理手順例４−−−
【００８２】
続いて、需要家が自発的に需要家同士のグルーピングを志向する場合に対応する処理について説明する。図１３は、本実施形態における料金プランシェア方法の処理手順例４を示すフロー図である。なお、処理手順例３と同様に、料金プランシェアシステム１００は、各需要家のスマートメータ１２とネットワーク５０を介して一定時間ごとに通信し、各需要家における所定時間毎の電力使用量データを電力使用量実績として、記憶装置１０１の電力使用量実績データベース１２６に蓄積しているものとする。
【００８３】
ここでまず、本実施形態の料金プランシェアシステム１００は、或る需要家端末２００から需要家グループの生成要求を受信したことに応じ、当該要求の起源となった該当需要家（例えば、需要家“Ｂ”とする）を含む各電力需要家における電力料金プランを料金プランデータベース１２５で特定し、また、上述の各需要家における電力使用量実績を電力使用量実績データベース１２６で特定し、当該特定した電力料金プランおよび電力使用量実績に基づいて、該当電力料金プランが示す時間帯別の段階的電力量ごとの従量料金の適用電力量枠の余裕分を、各需要家について特定する（ｓ２００１）。このステップｓ２００１の具体的な内容については上述のステップｓ２００と同様である。
【００８４】
次に、料金プランシェアシステム１００は、上述のステップｓ２００１で、上述の該当需要家“Ｂ”について特定した、該当時間帯（例えば、通常時間帯とする）の該当段階（例えば、第２段階とする）に対応する余裕分（例えば、“１００ｋｗｈ”とする）を、余裕分が特定出来なかった上述の該当需要家以外の電力需要家（例えば、需要家“Ａ”とする）における、上述の通常時間帯の第２段階についての追加の適用電力量枠とした場合（第３ケース）の、時間帯別電力料金の合計を上述のステップｓ２０３と同様に算定する（ｓ２００２）。なお、この時間帯別電力料金の合計は、上述の適用電力量枠を追加する場合の追加の前と後の両方のケースについて計算するものとする。
【００８５】
なお、このステップｓ２００２において、料金プランシェアシステム１００は、上述のステップｓ２００１で、上述の該当需要家以外の需要家（例えば、需要家“Ａ”）について特定した、該当時間帯（例えば、通常時間帯とする）の該当段階（例えば、第２段階とする）に対応する余裕分（例えば、“１００ｋｗｈ”とする）を、余裕分が特定出来なかった上述の需要家“Ｂ”における、上述の通常時間帯の第２段階についての追加の適用電力量枠とした場合（第４ケース）の、時間帯別電力料金の合計を上述のステップｓ２０３と同様に算定するものとできる。この場合も、上述の段階別電力料金の合計は、上述の適用電力量枠を追加する場合の追加の前と後の両方のケースについて計算するものとする。
【００８６】
続いて料金プランシェアシステム１００は、上述のように適用電力量枠を追加する前と後の両方のケースについて計算した各合計の差額を算定し（ｓ２００３）、ここで算定した、上述の第３ケースまたは第４ケースのいずれかに関する差額が所定の基準値以上であるか判定する（ｓ２００４）。
【００８７】
上述の差額が基準値以上であった場合（ｓ２００４：ｙ）、料金プランシェアシステム１００は、上述の需要家“Ａ”を、需要家“Ｂ”を起点とした所定グループの候補者として認識し、上述の需要家“Ｂ”の需要家端末２００に通知する（ｓ２００５）。他方、上述の差額が基準値以下であると判定した場合（ｓ２００４：ｎ）、料金プランシェアシステム１００は処理を一旦終了し、電力使用量実績が新たに蓄積されることを期待して所定時間待機し、上述のステップｓ２００１に処理を戻す。
【００８８】
上述のステップｓ２００５の実行後、需要家“Ｂ”の需要家端末２００から承認回答が得られた場合（ｓ２００６：ｙ）、料金プランシェアシステム１００は、需要家“Ｂ”による承認回答（グループへの加入承認と言える）が得られた需要家“Ａ”の需要家端末２００に対し、上述の所定グループの候補者となった旨を通知する（ｓ２００７）。この通知の実行後、需要家“Ａ”の需要家端末２００から承認回答（グループへの勧誘に対する許諾回答と言える）が得られた場合（ｓ２００８：ｙ）、料金プランシェアシステム１００は、グループの識別情報としてグループＩＤを所定アルゴリズムで生成し、上述の需要家管理データベース１２８における需要家“Ａ”、需要家“Ｂ”の電力需要家情報において該当グループの識別情報を所属情報として追加し（ｓ２００９）、処理を終了する。
【００８９】
他方、需要家“Ａ”の需要家端末２００から承認回答が得られなかった場合（ｓ２００８：ｎ）、料金プランシェアシステム１００は、処理を一旦終了し、電力使用量実績が新たに蓄積されることを期待して所定時間待機し、上述のステップｓ２００１に処理を戻す。こうして、需要家の自発的意思に応じて、料金プランシェアを行う需要家のグルーピングが実行される。
【００９０】
なお、料金プランシェアシステム１００は、上述で示した需要家のグルーピング以降、後述するステップｓ３０８、ｓ３０９の実行タイミングごとなど一定期間毎に、該当グループにおいて、適用電力量枠の追加前後での段階別電力料金の合計間の差額を検証し、この差額が所定の基準を下回った場合、すなわち十分な電力料金低減効果が得られていない場合、該当グループを解消、すなわち上述の需要家管理データベース１２８における所定需要家および他需要家の該当グループへの所属情報の削除を実行して、上述のステップｓ２００１〜ｓ２００９の一連の処理を再度実行する。
−−−処理手順例５−−−
【００９１】
次に、上述の需要家のグルーピング以降、料金プランシェアシステム１００が、各需要家のスマートメータたる電力量計１２から所定時間毎の電力使用量データを電力使用量実績として得て、記憶装置１０１の電力使用量実績データベース１２６に蓄積した状況下で実行する処理について図に基づき説明する。図１４は、本実施形態における料金プランシェア方法の処理手順例５を示すフロー図である。ここでは上述の処理手順例３、すなわち料金プランにおいて時間帯別の概念が含まれている場合に対応する状況を想定する。
【００９２】
この場合、料金プランシェアシステム１００は、上述した需要家の所定グループ（例：需要家端末２００ないし電力事業者サーバ３００から指定されたグループＩＤ“ｇｒ００１”）に所属する各需要家について、該当グループの識別情報“ｇｒ００１”が所属情報として対応付けされた需要家ＩＤを需要家管理データベース１２８で、需要家“Ａ”、需要家“Ｂ”特定する（ｓ３００）。
【００９３】
続いて料金プランシェアシステム１００は、上述の該当需要家ＩＤすなわち需要家“Ａ”、需要家“Ｂ”をキーとして、記憶装置１０１の電力使用量実績データベース１２６に蓄積された所定期間分の電力使用量実績を読み出す（ｓ３０１）。
【００９４】
また、料金プランシェアシステム１００は、上述のステップｓ３０１で電力使用量実績を読み出した各需要家“Ａ”、“Ｂ”の需要家施設１０が所在するエリア（例：東京都○○区）を需要家管理データベース１２８で特定し（ｓ３０２）、該当エリアに関し、通信装置１０５を介して気象データ提供サーバ４００から気象予測データを取得する（ｓ３０３）。この場合、料金プランシェアシステム１００は、上述の所定期間分の電力使用量実績と気象予測データとに基づき、所定アルゴリズムで上述のグループ“ｇｒ００１”に所属の各需要家“Ａ”、“Ｂ”における未来の所定期間の電力使用量を推定する（ｓ３０４）。
【００９５】
なお、未来の所定期間の電力使用量を推定する上述の所定アルゴリズムは、例えば、上述の所定期間分の電力使用量実績と気象予測データの各情報を入力として電力使用量の推定値を出力する算定式を想定できる。この算定式は、上述の各情報の実際値と、過去に実際に特定された電力使用量との間の相関解析を行って得られている数式である。また、上述のアルゴリズムは、プログラム１０２が予め備えているものとする。
【００９６】
次に、料金プランシェアシステム１００は、ここで推定した未来の所定期間の電力使用量と、各需要家“Ａ”、“Ｂ”における電力料金プラン（料金プランデータベース１２５で特定）に基づいて、該当電力料金プランが示す時間帯別従量料金の適用電力量枠の余裕分を上述のグループ“ｇｒ００１”に所属する各需要家“Ａ”、“Ｂ”について特定する（ｓ３０５）。
【００９７】
例えば、需要家“Ａ”、“Ｂ”の料金プランが共に「従量電灯Ｘ契約」であり、上述のステップｓ３０１で電力使用量実績データベース１２６から得た、直近１ヶ月での電力使用量実績が需要家“Ａ”：「４００ｋｗｈ」、需要家“Ｂ”：「１８０ｋｗｈ」であったとする。なお、「従量電灯Ｘ契約」の料金体系は、上述の処理手順例２の場合と同様である。
【００９８】
この場合、上述のステップｓ３０５における料金プランシェアシステム１００は、各需要家“Ａ”、“Ｂ”における電力料金プランとして、“従量電灯Ｘ契約”を料金プランデータベース１２５で特定し、また、各需要家“Ａ”、“Ｂ”における電力使用量実績“４００ｋｗｈ”、“１８０ｋｗｈ”を電力使用量実績データベース１２６で特定する。
【００９９】
また、料金プランシェアシステム１００は、グループ“ｇｒ００１”の所属需要家である需要家“Ａ”、“Ｂ”のそれぞれについてこうして特定した電力料金プランおよび電力使用量実績に基づいて、該当電力料金プランが示す時間帯別従量料金の適用電力量枠の余裕分として、需要家“Ｂ”について、例えば“午前７時〜午前９時”の通常時間帯における第２段階において、“３００ｋｗｈ−１８０ｋｗｈ＝１２０ｋｗｈ”を適用電力量枠の余裕分と特定し、需要家“Ａ”については適用電力量枠の上限規定が無い第３段階まで電力使用量実績が到達しているため“余裕分無し”、などと特定することとなる。
【０１００】
続いて、料金プランシェアシステム１００は、上述のステップｓ３０５によってグループ“ｇｒ００１”に所属の需要家“Ｂ”について特定した通常時間帯における余裕分“１２０ｋｗｈ”を、該当グループ内において余裕分が特定出来なかった他需要家たる需要家“Ａ”における該当時間帯の追加の適用電力量枠として、記憶装置１０１に記憶する（ｓ３０６）。
【０１０１】
次に、料金プランシェアシステム１００は、上述の他需要家“Ａ”に関してその需要家ＩＤをキーとして電力料金プランを料金プランデータベース１２５で特定し、また、電力使用量実績を需要家ＩＤをキーとして電力使用量実績データベース１２６で特定する（ｓ３０７）。また、ここで料金プランシェアシステム１００は、上述のステップｓ３０７で特定した他需要家たる需要家“Ａ”の該当電力料金プランおよび電力使用量実績に基づき、時間帯別電力料金の合計を算定する（ｓ３０８）。なお、この時間帯別電力料金の合計は、上述の適用電力量枠を追加する前と後の両方のケースについて計算するものとする。
【０１０２】
この場合、料金プランシェアシステム１００は、例えば、需要家“Ａ”の電力料金プラン、すなわち料金体系が、第１段階（０〜１２０ｋｗｈ）：１５円（通常時間帯）、１１円（深夜帯）、第２段階（１２０〜３００ｋｗｈ）：２５円（通常時間帯）、２１円（深夜帯）、第３段階（３００ｋｗｈ超）：３０円（通常時間帯）、２６円（深夜帯）、である「従量電灯Ｘ契約」と、直近１ヶ月での電力使用量実績が「４００ｋｗｈ」（例えば、通常時間帯と深夜帯とで４：１の使用割合であった）に基づいて、適用電力量枠の追加後の電力料金として、第１段階：９６×１５＋２４×１１＝“１７０４円”、第２段階：１４４×２５＋３６×２１＝“４３５６円”、（追加分）第２段階：８０×２５＋２０×２１＝“２４２０円”、で時間帯別電力料金の合計を、“８４８０円”と算定できる。一方、適用電力量枠の追加前の電力料金として、第１段階：９６×１５＋２４×１１＝“１７０４円”、第２段階：１４４×２５＋３６×２１＝“４３５６円”、第３段階：８０×３０＋２０×２６＝“２９２０円”、で時間帯別電力料金の合計を、“８９８０円”と算定できる。
【０１０３】
料金プランシェアシステム１００は、ここで計算した各合計間の差額を、“８９８０−８４８０＝５００円”などと算定し、この差額のうち所定割合分（例：５０％）で需要家“Ａ”、“Ｂ”の電力料金（例：直近の電力使用量実績に基づくもの、或いは次の請求分）を減算し、この減算後の電力料金をインセンティブデータとして上述の需要家“Ａ”、“Ｂ”の需要家端末２００、または電力事業者サーバ３００に出力し（ｓ３０９）、処理を終了する。
【０１０４】
なお、料金プランシェアシステム１００は、スマートメータたる電力量計１２から得られる所定時間毎の電力使用量データに、該当需要家に設置されている太陽光発電装置１３での売電量の実績（例：直近１ヶ月における各日の売電量）も含まれているとしてもよい。この場合、料金プランシェアシステム１００は、上述の余裕分を、互いに承認済みの需要家のグループに所属する各需要家について特定する処理に際し、各需要家における所定期間分の電力使用量データおよび上述の売電量と、通信装置１０５を介して気象データ提供サーバ４００から得られる気象予測データとに基づき、所定アルゴリズムで各需要家における未来の所定期間の電力使用量および売電量を推定する。また、料金プランシェアシステム１００は、当該推定した電力使用量（例：４５０ｋｗｈ）と売電量（例：５０ｋｗｈ）との差分（例：４００ｋｗｈ）と各需要家における電力料金プランに基づいて、電力料金プランが示す時間帯別従量料金の適用電力量枠の余裕分を、互いに承認済みの需要家のグループに所属する各需要家について特定することとなる。
【０１０５】
上述した、各需要家における未来の所定期間の売電量を推定する所定アルゴリズムは、該当需要家の需要家施設１０に関し、気象データ提供サーバ４００から既に得ている所定期間未来の気象予測データ（天気、気温、湿度、風向、日照時間、太陽高度等）と、該当需要家施設１０に備わる太陽光発電装置１３における発電能力の仕様情報（記憶装置１０１にて格納されている）とを入力として予測売電量を出力する算定式を想定できる。この算定式は、上述の気象予測データおよび仕様情報の実際値と、過去に実際に特定された売電量との間の相関解析を行って得られている数式である。
【０１０６】
以上、本発明を実施するための最良の形態などについて具体的に説明したが、本発明はこれに限定されるものではなく、その要旨を逸脱しない範囲で種々変更可能である。
【０１０７】
こうした本実施形態によれば、様々な需要家個々における電力消費の意向を無理なく踏まえた上で、各需要家にて直接的な経済効果を確実に獲得可能となる。
【０１０８】
本明細書の記載により、少なくとも次のことが明らかにされる。すなわち、本実施形態の料金プランシェアシステムにおいて、前記演算装置は、前記余裕分を、互いに承認済みの電力需要家の所定グループに所属する各電力需要家について特定する処理に先立ち、前記各電力需要家における電力料金プランおよび電力使用量実績に基づいて、電力料金プランが示す段階的電力量ごとの従量料金の適用電力量枠の余裕分を、各電力需要家について特定し、前記特定した余裕分を、余裕分が特定出来なかった他電力需要家における該当段階の追加の適用電力量枠とした場合の、前記差額の算定を実行し、前記算定した差額が所定値以上である場合、前記所定電力需要家および前記他電力需要家を前記所定グループの候補者として、該当電力需要家の所定装置に通知し、各電力需要家の所定装置から承認回答が得られた場合、前記所定電力需要家および前記他電力需要家の前記電力需要家情報において前記所定グループの所属情報を追加する処理を更に実行するものであるとしてもよい。
【０１０９】
これによれば、適用電力量枠余裕分のシェア、すなわち電力料金プランのシェアを行う電力需要家として適宜な電力料金低減効果を奏する者同士を、電力需要家の意思に応じつつグルーピングすることが可能となり、ひいては、様々な需要家個々における電力消費の意向を無理なく踏まえた上で、各需要家にて直接的な経済効果を確実に獲得可能となる。
【０１１０】
なお、上述のようなグルーピング以降、該当グループにおいて、適用電力量枠の追加前後での段階別電力料金の合計間の差額を一定期間毎に検証し、この差額が所定の基準を下回った場合、すなわち十分な電力料金低減効果が得られていない場合、該当グループを解消して、上述の所定グループの候補者の通知と、所定電力需要家および前記他電力需要家の電力需要家情報における所定グループの所属情報追加の一連の処理を再度実行するとしてもよい。
【０１１１】
また、本実施形態の料金プランシェアシステムにおいて、各電力需要家の所定装置とネットワークを介して通信する通信装置を更に備え、前記演算装置は、前記余裕分を、互いに承認済みの電力需要家の所定グループに所属する各電力需要家について特定する処理に先立ち、前記電力需要家の所定装置から、電力需要家の所定グループを生成する要求を受け付けて、当該要求の起源となった該当電力需要家を含む各電力需要家における電力料金プランおよび電力使用量実績に基づいて、電力料金プランが示す段階的電力量ごとの従量料金の適用電力量枠の余裕分を、前記各電力需要家について特定し、前記該当電力需要家について特定した余裕分を、余裕分が特定出来なかった前記該当電力需要家以外の電力需要家における該当段階の追加の適用電力量枠とした場合の、前記差額の算定を実行し、または、前記該当電力需要家以外の電力需要家について特定した余裕分を、余裕分が特定出来なかった前記該当電力需要家における該当段階の追加の適用電力量枠とした場合の、前記差額の算定を実行し、前記算定したいずれかの差額が所定値以上である場合、前記所定電力需要家としての前記該当電力需要家以外の電力需要家、または前記他電力需要家としての前記該当電力需要家以外の電力需要家、を前記所定グループの候補者として、前記該当電力需要家の所定装置に返信し、前記該当電力需要家の所定装置から承認回答が得られた、前記該当電力需要家以外の電力需要家の所定装置に対し、前記所定グループの候補者となった旨を通知し、該当所定装置から承認回答が得られた場合、前記該当電力需要家および前記該当電力需要家以外の電力需要家の前記電力需要家情報において前記所定グループの所属情報を追加する処理を更に実行するものである、としてもよい。
【０１１２】
これによれば、需要家がグルーピングとそれに伴うインセンティブ獲得を志向して、グルーピング対象の候補となる需要家の探索作業を自発的に行うことが可能となり、より一層、電力需要家の意思に応じたグルーピングが可能であり、ひいては、様々な需要家個々における電力消費の意向を無理なく踏まえた上で、各需要家にて直接的な経済効果を確実に獲得可能となる。
【０１１３】
なお、上述のようなグルーピング以降、該当グループにおいて、適用電力量枠の追加前後での段階別電力料金の合計間の差額を一定期間毎に検証し、この差額が所定の基準を下回った場合、すなわち十分な電力料金低減効果が得られていない場合、該当グループを解消して、上述の所定グループの候補者の通知と、所定電力需要家および前記他電力需要家の電力需要家情報における所定グループの所属情報追加の一連の処理を再度実行するとしてもよい。
【０１１４】
また、本実施形態の料金プランシェアシステムにおいて、各電力需要家のスマートメータとネットワークを介して通信する通信装置を更に備え、前記演算装置は、各電力需要家の前記スマートメータから得られる所定時間毎の電力使用量データを電力使用量実績として記憶装置に蓄積する処理を更に実行し、前記余裕分を、互いに承認済みの電力需要家の所定グループに所属する各電力需要家について特定する処理に際し、各電力需要家における所定期間分の電力使用量実績と、前記通信装置を介して所定装置から得られる気象予測データとに基づき、所定アルゴリズムで各電力需要家における未来の所定期間の電力使用量を推定し、当該推定した電力使用量と前記各電力需要家における電力料金プランに基づいて、電力料金プランが示す段階的電力量ごとの従量料金の適用電力量枠の余裕分を、互いに承認済みの電力需要家の所定グループに所属する各電力需要家について特定するものであるとしてもよい。
【０１１５】
これによれば、電力使用量の実績と気象予測データとに基づく電力使用量により、上述の適用電力量枠の余裕分の特定を精度良く行うことが可能となり、ひいては、上述の段階別電力料金の各合計間の差額の精度も向上し、各需要家にて直接的な経済効果をより一層確実に獲得可能となる。
【０１１６】
また、本実施形態の料金プランシェアシステムにおいて、前記演算装置は、前記各電力需要家の前記スマートメータから得られる所定時間毎の電力使用量データを電力使用量実績として記憶装置に蓄積する処理に際し、該当電力需要家に設置されている太陽光発電装置での売電量の実績も前記スマートメータから取得して記憶装置に蓄積し、前記余裕分を、互いに承認済みの電力需要家の所定グループに所属する各電力需要家について特定する処理に際し、各電力需要家における所定期間分の前記電力使用量データおよび前記売電量と、前記通信装置を介して所定装置から得られる気象予測データとに基づき、所定アルゴリズムで各電力需要家における未来の所定期間の電力使用量および売電量を推定し、当該推定した電力使用量と売電量との差分と前記各電力需要家における電力料金プランに基づいて、電力料金プランが示す段階的電力量ごと従量料金の適用電力量枠の余裕分を、互いに承認済みの電力需要家の所定グループに所属する各電力需要家について特定するものであるとしてもよい。
【０１１７】
これによれば、電力使用量の実績および太陽光発電装置による売電量と気象予測データとに基づく電力使用量により、上述の適用電力量枠の余裕分の特定を更に精度良く行うことが可能となり、ひいては、上述の段階別電力料金の各合計間の差額の精度もより向上し、各需要家にて直接的な経済効果をより一層確実に獲得可能となる。
【０１１８】
また、本実施形態の料金プランシェアシステムにおいて、前記演算装置は、前記余裕分を前記各電力需要家について特定する処理に際し、前記各電力需要家における電力料金プランおよび電力使用量実績に基づいて、電力料金プランが示す時間帯別の段階的電力量ごとの従量料金の適用電力量枠の余裕分を、互いに承認済みの電力需要家の所定グループに所属する各電力需要家について特定し、前記追加の適用電力量枠を記憶装置に記憶する処理に際し、いずれかの所定電力需要家について特定した余裕分を、前記グループ内において余裕分が特定出来なかった他電力需要家における該当時間帯の該当段階の追加の適用電力量枠として記憶装置に記憶する処理と、前記所定割合分を示すデータを前記インセンティブデータとして出力する処理に際し、前記他電力需要家に関して、前記他電力需要家の該当電力料金プランおよび電力使用量実績に基づく時間帯別の前記段階ごとの電力料金の合計を、前記適用電力量枠の追加前後で計算し、前記計算した各合計間の差額の所定割合分を示すデータを、前記所定電力需要家へのインセンティブデータとして所定装置に出力する処理を実行するものであるとしてもよい。
【０１１９】
これによれば、従量料金の仕組みのうち時間帯別の概念についても踏まえて処理を行うことが可能となり、ひいては、様々な需要家個々における電力消費の意向を無理なく踏まえた上で、各需要家にて直接的な経済効果を更に確実に獲得可能となる。
【０１２０】
また、本実施形態の料金プランシェアシステムにおいて、前記演算装置は、前記余裕分を、互いに承認済みの電力需要家の所定グループに所属する各電力需要家について特定する処理に先立ち、前記各電力需要家における電力料金プランおよび電力使用量実績に基づいて、電力料金プランが示す時間帯別の段階的電力量ごとの従量料金の適用電力量枠の余裕分を、各電力需要家について特定し、前記特定した余裕分を、余裕分が特定出来なかった他電力需要家における該当時間帯の該当段階の追加の適用電力量枠とした場合の、前記差額の算定を実行し、前記算定した差額が所定値以上である場合、前記所定電力需要家および前記他電力需要家を前記所定グループの候補者として、該当電力需要家の所定装置に通知し、各電力需要家の所定装置から承認回答が得られた場合、前記所定電力需要家および前記他電力需要家の前記電力需要家情報において前記所定グループの所属情報を追加する処理を更に実行するものであるとしてもよい。
【０１２１】
これによれば、適用電力量枠余裕分のシェア、すなわち電力料金プランのシェアを行う電力需要家として適宜な電力料金低減効果を奏する者同士を、電力需要家の意思に応じつつグルーピングすることが可能となり、ひいては、様々な需要家個々における電力消費の意向を無理なく踏まえた上で、各需要家にて直接的な経済効果を確実に獲得可能となる。
【０１２２】
なお、上述のようなグルーピング以降、該当グループにおいて、適用電力量枠の追加前後での時間帯別の段階的電力量ごとの電力料金の合計間の差額を一定期間毎に検証し、この差額が所定の基準を下回った場合、すなわち十分な電力料金低減効果が得られていない場合、該当グループを解消して、上述の所定グループの候補者の通知と、所定電力需要家および前記他電力需要家の電力需要家情報における所定グループの所属情報追加の一連の処理を再度実行するとしてもよい。
【０１２３】
また、本実施形態の料金プランシェアシステムにおいて、各電力需要家の所定装置とネットワークを介して通信する通信装置を更に備え、前記演算装置は、前記余裕分を、互いに承認済みの電力需要家の所定グループに所属する各電力需要家について特定する処理に先立ち、前記電力需要家の所定装置から、電力需要家の所定グループを生成する要求を受け付けて、当該要求の起源となった該当電力需要家を含む各電力需要家における電力料金プランおよび電力使用量実績に基づいて、電力料金プランが示す時間帯別の段階的電力量ごとの従量料金の適用電力量枠の余裕分を、前記各電力需要家について特定し、前記該当電力需要家について特定した余裕分を、余裕分が特定出来なかった前記該当電力需要家以外の電力需要家における該当時間帯の該当段階の追加の適用電力量枠とした場合の、前記差額の算定を実行し、または、前記該当電力需要家以外の電力需要家について特定した余裕分を、余裕分が特定出来なかった前記該当電力需要家における該当時間帯の該当段階の追加の適用電力量枠とした場合の、前記差額の算定を実行し、前記算定したいずれかの差額が所定値以上である場合、前記所定電力需要家としての前記該当電力需要家以外の電力需要家、または前記他電力需要家としての前記該当電力需要家以外の電力需要家、を前記所定グループの候補者として、前記該当電力需要家の所定装置に返信し、前記該当電力需要家の所定装置から承認回答が得られた、前記該当電力需要家以外の電力需要家の所定装置に対し、前記所定グループの候補者となった旨を通知し、該当所定装置から承認回答が得られた場合、前記該当電力需要家および前記該当電力需要家以外の電力需要家の前記電力需要家情報において前記所定グループの所属情報を追加する処理を更に実行するものである、としてもよい。
【０１２４】
これによれば、需要家がグルーピングとそれに伴うインセンティブ獲得を志向して、グルーピング対象の候補となる需要家の探索作業を自発的に行うことが可能となり、より一層、電力需要家の意思に応じたグルーピングが可能であり、ひいては、様々な需要家個々における電力消費の意向を無理なく踏まえた上で、各需要家にて直接的な経済効果を確実に獲得可能となる。
【０１２５】
なお、上述のようなグルーピング以降、該当グループにおいて、適用電力量枠の追加前後での時間帯別の段階的電力量ごとの電力料金の合計間の差額を一定期間毎に検証し、この差額が所定の基準を下回った場合、すなわち十分な電力料金低減効果が得られていない場合、該当グループを解消して、上述の所定グループの候補者の通知と、所定電力需要家および前記他電力需要家の電力需要家情報における所定グループの所属情報追加の一連の処理を再度実行するとしてもよい。
【０１２６】
また、本実施形態の料金プランシェアシステムにおいて、前記演算装置は、前記特定した余裕分を、前記グループ内において余裕分が特定出来なかった他電力需要家における該当時間帯の該当段階の追加の適用電力量枠として記憶装置に記憶する処理に際し、前記他電力需要家において余裕分が特定出来なかった時間帯のうち最も高額な従量料金の時間帯に対応する前記余裕分を特定し、当該特定した余裕分を、前記他電力需要家における該当時間帯の該当段階の追加の適用電力量枠として記憶装置に記憶するものであるとしてもよい。
【０１２７】
これによれば、適用電力量枠余裕分のシェア、すなわち電力料金プランのシェアを行う電力需要家間において効果的に電力料金低減効果を奏する時間帯を特定し、該当時間帯の該当段階に対して上述の余裕分を追加の適用電力量枠として適用することが可能となり、ひいては、各需要家にて直接的な経済効果を更に確実に獲得可能となる。
【０１２８】
また、本実施形態の料金プランシェアシステムにおいて、前記演算装置は、前記特定した余裕分を、前記グループ内において余裕分が特定出来なかった他電力需要家における該当時間帯の該当段階の追加の適用電力量枠として記憶装置に記憶する処理に際し、前記他電力需要家のうち最も電力使用量が多い順に、該当他電力需要家において余裕分が特定出来なかった時間帯のうち最も高額な従量料金の時間帯に対応する前記余裕分を特定し、当該特定した余裕分を、前記他電力需要家における該当時間帯の該当段階の追加の適用電力量枠として記憶装置に記憶する処理を順次繰り返すものであるとしてもよい。
【０１２９】
これによれば、適用電力量枠余裕分のシェア、すなわち電力料金プランのシェアを行う電力需要家として、より高い電力料金低減効果を奏する者同士に関し、効果的に電力料金低減効果を奏する時間帯を特定し、該当電力需要家間で該当時間帯の該当段階に対して上述の余裕分を追加の適用電力量枠として適用することが可能となり、ひいては、各需要家にて直接的な経済効果をより一層確実に獲得可能となる。
【０１３０】
また、本実施形態の料金プランシェアシステムにおいて、各電力需要家のスマートメータとネットワークを介して通信する通信装置を更に備え、前記演算装置は、各電力需要家の前記スマートメータから得られる所定時間毎の電力使用量データを電力使用量実績として記憶装置に蓄積する処理を更に実行し、前記余裕分を、互いに承認済みの電力需要家の所定グループに所属する各電力需要家について特定する処理に際し、各電力需要家における所定期間分の電力使用量実績と、前記通信装置を介して所定装置から得られる気象予測データとに基づき、所定アルゴリズムで各電力需要家における未来の所定期間の電力使用量を推定し、当該推定した電力使用量と前記各電力需要家における電力料金プランに基づいて、電力料金プランが示す時間帯別の段階的電力量ごとの従量料金の適用電力量枠の余裕分を、互いに承認済みの電力需要家の所定グループに所属する各電力需要家について特定するものであるとしてもよい。
【０１３１】
これによれば、電力使用量の実績と気象予測データとに基づく電力使用量により、上述の適用電力量枠の余裕分の特定を精度良く行うことが可能となり、ひいては、上述の時間帯別の段階的電力量ごとの電力料金の各合計間の差額の精度も向上し、各需要家にて直接的な経済効果をより一層確実に獲得可能となる。
【０１３２】
また、本実施形態の料金プランシェアシステムにおいて、前記演算装置は、前記各電力需要家の前記スマートメータから得られる所定時間毎の電力使用量データを電力使用量実績として記憶装置に蓄積する処理に際し、該当電力需要家に設置されている太陽光発電装置での売電量の実績も前記スマートメータから取得して記憶装置に蓄積し、前記余裕分を、互いに承認済みの電力需要家の所定グループに所属する各電力需要家について特定する処理に際し、各電力需要家における所定期間分の前記電力使用量データおよび前記売電量と、前記通信装置を介して所定装置から得られる気象予測データとに基づき、所定アルゴリズムで各電力需要家における未来の所定期間の電力使用量および売電量を推定し、当該推定した電力使用量と売電量との差分と前記各電力需要家における電力料金プランに基づいて、電力料金プランが示す時間帯別の段階的電力量ごとの従量料金の適用電力量枠の余裕分を、互いに承認済みの電力需要家の所定グループに所属する各電力需要家について特定するものであるとしてもよい。
【０１３３】
これによれば、電力使用量の実績および太陽光発電装置による売電量と気象予測データとに基づく電力使用量により、上述の適用電力量枠の余裕分の特定を更に精度良く行うことが可能となり、ひいては、上述の時間帯別の段階的電力量ごとの電力料金の各合計間の差額の精度もより向上し、各需要家にて直接的な経済効果をより一層確実に獲得可能となる。
【０１３４】
また、本実施形態の料金プランシェアシステムにおいて、前記演算装置は、前記インセンティブデータを出力する処理に際し、前記差額の所定割合分で前記所定電力需要家の電力料金を減算し、前記減算後の電力料金を前記インセンティブデータとして前記所定電力需要家または電力事業者の装置に出力するものであるとしてもよい。
【０１３５】
これによれば、適用電力量枠余裕分のシェア、すなわち電力料金プランのシェアを行った結果として得られる電力料金低減効果を各電力需要家に明示し、或いは電力事業者における電力料金算定に際して加味することが可能となり、上述のシェアを行った各需要家にて経済効果をより一層認識しやすくなる。
【０１３６】
また、本実施形態の料金プランシェア方法は、各電力需要家が電力事業者と契約した電力料金プランの情報と、電力使用量実績を少なくとも含む電力需要家情報とを格納した記憶装置を備えたコンピュータシステムが、前記各電力需要家における電力料金プランおよび電力使用量実績に基づいて、電力料金プランが示す段階的電力量ごとの従量料金の適用電力量枠の余裕分を、互いに承認済みの電力需要家の所定グループに所属する各電力需要家について特定する処理と、いずれかの所定電力需要家について特定した余裕分を、前記グループ内において余裕分が特定出来なかった他電力需要家における該当段階の追加の適用電力量枠として記憶装置に記憶する処理と、前記他電力需要家に関して、前記他電力需要家の該当電力料金プランおよび電力使用量実績に基づく段階別電力料金の合計を、前記適用電力量枠の追加前後で計算し、前記計算した各合計間の差額の所定割合分を示すデータを、前記所定電力需要家へのインセンティブデータとして所定装置に出力する処理を実行することを特徴とする。
【０１３７】
また、上述の料金プランシェア方法において、前記コンピュータシステムが、前記余裕分を、互いに承認済みの電力需要家の所定グループに所属する各電力需要家について特定する処理に先立ち、前記各電力需要家における電力料金プランおよび電力使用量実績に基づいて、電力料金プランが示す段階的電力量ごとの従量料金の適用電力量枠の余裕分を、各電力需要家について特定し、前記特定した余裕分を、余裕分が特定出来なかった他電力需要家における該当段階の追加の適用電力量枠とした場合の、前記差額の算定を実行し、前記算定した差額が所定値以上である場合、前記所定電力需要家および前記他電力需要家を前記所定グループの候補者として、該当電力需要家の所定装置に通知し、各電力需要家の所定装置から承認回答が得られた場合、前記所定電力需要家および前記他電力需要家の前記電力需要家情報において前記所定グループの所属情報を追加する処理を更に実行する、としてもよい。
【０１３８】
また、上述の料金プランシェア方法において、前記コンピュータシステムが、各電力需要家のスマートメータとネットワークを介して通信する通信装置を更に備え、各電力需要家の前記スマートメータから得られる所定時間毎の電力使用量データを電力使用量実績として記憶装置に蓄積する処理を更に実行し、前記余裕分を、互いに承認済みの電力需要家の所定グループに所属する各電力需要家について特定する処理に際し、各電力需要家における所定期間分の電力使用量実績と、前記通信装置を介して所定装置から得られる気象予測データとに基づき、所定アルゴリズムで各電力需要家における未来の所定期間の電力使用量を推定し、当該推定した電力使用量と前記各電力需要家における電力料金プランに基づいて、電力料金プランが示す段階的電力量ごとの従量料金の適用電力量枠の余裕分を、互いに承認済みの電力需要家の所定グループに所属する各電力需要家について特定するとしてもよい。
【０１３９】
また、上述の料金プランシェア方法において、前記コンピュータシステムが、前記各電力需要家の前記スマートメータから得られる所定時間毎の電力使用量データを電力使用量実績として記憶装置に蓄積する処理に際し、該当電力需要家に設置されている太陽光発電装置での売電量の実績も前記スマートメータから取得して記憶装置に蓄積し、前記余裕分を、互いに承認済みの電力需要家の所定グループに所属する各電力需要家について特定する処理に際し、各電力需要家における所定期間分の前記電力使用量データおよび前記売電量と、前記通信装置を介して所定装置から得られる気象予測データとに基づき、所定アルゴリズムで各電力需要家における未来の所定期間の電力使用量および売電量を推定し、当該推定した電力使用量と売電量との差分と前記各電力需要家における電力料金プランに基づいて、電力料金プランが示す段階的電力量ごと従量料金の適用電力量枠の余裕分を、互いに承認済みの電力需要家の所定グループに所属する各電力需要家について特定するとしてもよい。
【０１４０】
また、上述の料金プランシェア方法において、前記コンピュータシステムが、前記余裕分を前記各電力需要家について特定する処理に際し、前記各電力需要家における電力料金プランおよび電力使用量実績に基づいて、電力料金プランが示す時間帯別の段階的電力量ごとの従量料金の適用電力量枠の余裕分を、互いに承認済みの電力需要家の所定グループに所属する各電力需要家について特定し、前記追加の適用電力量枠を記憶装置に記憶する処理に際し、いずれかの所定電力需要家について特定した余裕分を、前記グループ内において余裕分が特定出来なかった他電力需要家における該当時間帯の該当段階の追加の適用電力量枠として記憶装置に記憶する処理と、前記所定割合分を示すデータを前記インセンティブデータとして出力する処理に際し、前記他電力需要家に関して、前記他電力需要家の該当電力料金プランおよび電力使用量実績に基づく時間帯別の前記段階ごとの電力料金の合計を、前記適用電力量枠の追加前後で計算し、前記計算した各合計間の差額の所定割合分を示すデータを、前記所定電力需要家へのインセンティブデータとして所定装置に出力する処理を実行するとしてもよい。
【０１４１】
また、上述の料金プランシェア方法において、前記コンピュータシステムが、前記余裕分を、互いに承認済みの電力需要家の所定グループに所属する各電力需要家について特定する処理に先立ち、前記各電力需要家における電力料金プランおよび電力使用量実績に基づいて、電力料金プランが示す時間帯別の段階的電力量ごとの従量料金の適用電力量枠の余裕分を、各電力需要家について特定し、前記特定した余裕分を、余裕分が特定出来なかった他電力需要家における該当時間帯の該当段階の追加の適用電力量枠とした場合の、前記差額の算定を実行し、前記算定した差額が所定値以上である場合、前記所定電力需要家および前記他電力需要家を前記所定グループの候補者として、該当電力需要家の所定装置に通知し、各電力需要家の所定装置から承認回答が得られた場合、前記所定電力需要家および前記他電力需要家の前記電力需要家情報において前記所定グループの所属情報を追加する処理を更に実行する、としてもよい。
【０１４２】
また、上述の料金プランシェア方法において、前記コンピュータシステムが、前記特定した余裕分を、前記グループ内において余裕分が特定出来なかった他電力需要家における該当時間帯の該当段階の追加の適用電力量枠として記憶装置に記憶する処理に際し、前記他電力需要家において余裕分が特定出来なかった時間帯のうち最も高額な従量料金の時間帯に対応する前記余裕分を特定し、当該特定した余裕分を、前記他電力需要家における該当時間帯の該当段階の追加の適用電力量枠として記憶装置に記憶するとしてもよい。
【０１４３】
また、上述の料金プランシェア方法において、前記コンピュータシステムが、前記特定した余裕分を、前記グループ内において余裕分が特定出来なかった他電力需要家における該当時間帯の該当段階の追加の適用電力量枠として記憶装置に記憶する処理に際し、前記他電力需要家のうち最も電力使用量が多い順に、該当他電力需要家において余裕分が特定出来なかった時間帯のうち最も高額な従量料金の時間帯に対応する前記余裕分を特定し、当該特定した余裕分を、前記他電力需要家における該当時間帯の該当段階の追加の適用電力量枠として記憶装置に記憶する処理を順次繰り返す、としてもよい。
【０１４４】
また、上述の料金プランシェア方法において、前記コンピュータシステムが、各電力需要家のスマートメータとネットワークを介して通信する通信装置を更に備え、各電力需要家の前記スマートメータから得られる所定時間毎の電力使用量データを電力使用量実績として記憶装置に蓄積する処理を更に実行し、前記余裕分を、互いに承認済みの電力需要家の所定グループに所属する各電力需要家について特定する処理に際し、各電力需要家における所定期間分の電力使用量実績と、前記通信装置を介して所定装置から得られる気象予測データとに基づき、所定アルゴリズムで各電力需要家における未来の所定期間の電力使用量を推定し、当該推定した電力使用量と前記各電力需要家における電力料金プランに基づいて、電力料金プランが示す時間帯別の段階的電力量ごとの従量料金の適用電力量枠の余裕分を、互いに承認済みの電力需要家の所定グループに所属する各電力需要家について特定する、としてもよい。
【０１４５】
また、上述の料金プランシェア方法において、前記コンピュータシステムが、前記各電力需要家の前記スマートメータから得られる所定時間毎の電力使用量データを電力使用量実績として記憶装置に蓄積する処理に際し、該当電力需要家に設置されている太陽光発電装置での売電量の実績も前記スマートメータから取得して記憶装置に蓄積し、前記余裕分を、互いに承認済みの電力需要家の所定グループに所属する各電力需要家について特定する処理に際し、各電力需要家における所定期間分の前記電力使用量データおよび前記売電量と、前記通信装置を介して所定装置から得られる気象予測データとに基づき、所定アルゴリズムで各電力需要家における未来の所定期間の電力使用量および売電量を推定し、当該推定した電力使用量と売電量との差分と前記各電力需要家における電力料金プランに基づいて、電力料金プランが示す時間帯別の段階的電力量ごとの従量料金の適用電力量枠の余裕分を、互いに承認済みの電力需要家の所定グループに所属する各電力需要家について特定する、としてもよい。
【０１４６】
また、上述の料金プランシェア方法において、前記コンピュータシステムが、前記インセンティブデータを出力する処理に際し、前記差額の所定割合分で前記所定電力需要家の電力料金を減算し、前記減算後の電力料金を前記インセンティブデータとして前記所定電力需要家または電力事業者の装置に出力する、としてもよい。
【符号の説明】
【０１４７】
１  系統電源
１０  需要家施設
１１  分電盤
１２  電力量計（スマートメータ）
１３  太陽光発電装置
１５  電気設備
５０  ネットワーク
１００  料金プランシェアシステム
１０１  記憶装置
１０２  プログラム
１０３  メモリ
１０４  演算装置
１０５  通信装置
１２５  料金プランデータベース
１２６  電力使用量実績データベース
１２７  気象予測データベース
１２８  需要家管理データベース
２００  需要家端末
２０１  記憶装置
２０２  プログラム
２０３  メモリ
２０４  演算装置
２０５  入力装置
２０６  出力装置
２０７  通信装置
２１０  アプリ
３００  電力事業者サーバ
３０１  記憶装置
３０２  プログラム
３０３  メモリ
３０４  演算装置
３０５  入力装置
３０６  出力装置
３０７  通信装置
３１０  業務アプリケーション
４００  気象データ提供サーバ
【要約】
【課題】様々な需要家個々における電力消費の意向を無理なく踏まえた上で、各需要家にて直接的な経済効果を確実に獲得可能とする。
【解決手段】料金プランシェアシステム１００において、各電力需要家の電力料金プランの情報と電力使用量実績を含む電力需要家情報とを格納した記憶装置１０１と、電力料金プランが示す段階的電力量ごとの従量料金の適用電力量枠の余裕分を所定グループに所属する各電力需要家について特定し、いずれかの所定電力需要家について特定した余裕分をグループ内にて余裕分が特定出来なかった他電力需要家における該当段階の追加の適用電力量枠とし、他電力需要家に関して該当電力料金プラン及び電力使用量実績に基づく段階別電力料金の合計を適用電力量枠の追加前後で計算し、その差額の所定割合分を示すデータをインセンティブデータとして所定装置に出力する演算装置１０４を含む構成とする。
【選択図】図２【図１】
0005858348.tif 000002
【図２】
0005858348.tif 000003
【図３】
0005858348.tif 000004
【図４】
0005858348.tif 000005
【図５】
0005858348.tif 000006
【図６】
0005858348.tif 000007
【図７】
0005858348.tif 000008
【図８】
0005858348.tif 000009
【図９】
0005858348.tif 000010
【図１０】
0005858348.tif 000011
【図１１】
0005858348.tif 000012
【図１２】
0005858348.tif 000013
【図１３】
0005858348.tif 000014
【図１４】
0005858348.tif 000015